(57)【要約】      （修正有）【課題】電力変換の変換効率を高め、交流電流の総合電流歪率を、安定した優れたものとする。【解決手段】商用電力系統３と、その交流電圧の絶対値のピーク値より低い電圧の直流電源２との間に設けられ、直流電力から交流電力への変換又はその逆の変換を行う電力変換装置１であって、交流半サイクル内で、交流の位相に応じて、ＤＣ／ＤＣコンバータ１０及びフルブリッジ回路の一方にスイッチング動作を行わせ、他方は休止させる期間を生じさせる制御部１２を備える。制御部は、交流電力の電圧、交流リアクトルによる電圧変化、中間コンデンサ及び交流側コンデンサをそれぞれ流れる無効電流並びに直流電力の電圧に基づいて、ＤＣ／ＤＣコンバータの電流目標値を、交流電力の電流と同期するように設定するとともに、交流電力の電圧として、商用電力系統の交流電圧検出値に基づいて抽出した基本波に、検出や制御系の遅れを考慮して位相を補足した電圧を用いる。【選択図】図１
2018183035.tif 000002
【特許請求の範囲】
【請求項１】
商用電力系統と、その交流電圧の絶対値のピーク値より低い電圧の直流電源との間に設けられ、直流電力から交流電力への変換又はその逆の変換を行う電力変換装置であって、
前記直流電源とＤＣバスとの間に接続されたＤＣ／ＤＣコンバータと、
前記ＤＣバスの２線間に接続された中間コンデンサと、
前記ＤＣバスと前記商用電力系統との間に設けられたフルブリッジ回路と、
前記商用電力系統と前記フルブリッジ回路との間に設けられ、交流リアクトル及び交流側コンデンサを含むフィルタ回路と、
交流半サイクル内で、交流の位相に応じて、前記ＤＣ／ＤＣコンバータ及び前記フルブリッジ回路の一方にスイッチング動作を行わせ、他方は休止させる期間を生じさせる制御部と、を備え、前記制御部は、
前記交流電力の電圧、前記交流リアクトルを流れる電流及び前記交流リアクトルのインピーダンスによる電圧変化、前記中間コンデンサ及び前記交流側コンデンサをそれぞれ流れる無効電流、並びに、前記直流電力の電圧に基づいて、前記ＤＣ／ＤＣコンバータの電流目標値を、前記交流電力の電流と同期するように設定するとともに、
前記交流電力の電圧として、前記商用電力系統の交流電圧検出値に基づいて抽出した基本波に、検出や制御系の遅れを考慮して位相を補足した電圧を用いる、電力変換装置。
【請求項２】
前記制御部は、
負荷への出力電流目標値をＩａ＊、前記交流側コンデンサの静電容量をＣａ、前記交流の系統電圧をＶａ、前記直流電源側の電圧をＶＤＣ、ラプラス演算子をｓとするとき、前記フィルタ回路と前記フルブリッジ回路との回路接続点での前記フルブリッジ回路の交流出力電流目標値Ｉｉｎｖ＊を、
Ｉｉｎｖ＊＝  Ｉａ＊＋ｓ ＣａＶａ
に設定し、さらに、前記交流リアクトルのインピーダンスをＺａとするとき、前記回路接続点での前記フルブリッジ回路の交流出力電圧目標値Ｖｉｎｖ＊を、
Ｖｉｎｖ＊＝  Ｖａ＋ＺａＩｉｎｖ＊
に設定し、前記電圧ＶＤＣ、及び、前記フルブリッジ回路の交流出力電圧目標値Ｖｉｎｖ＊の絶対値のいずれか大きい方を、前記ＤＣ／ＤＣコンバータの出力電圧目標値Ｖｏ＊に設定し、前記中間コンデンサの静電容量をＣとするとき、前記ＤＣ／ＤＣコンバータの電流目標値Ｉｉｎ＊は、
Ｉｉｎ＊＝｛（Ｉｉｎｖ＊  ×  Ｖｉｎｖ＊）＋（ｓ Ｃ Ｖｏ＊）×Ｖｏ＊｝／ＶＤＣ
に設定し、
前記交流の系統電圧Ｖａは、前記実効値をＶａ＿ｒｍｓ、前記スイッチング動作の指令をするタイミングの位相をωｔとして、
Ｖａ＝√２ Ｖａ＿ｒｍｓ×ｓｉｎ（ωｔ）
とする請求項１に記載の電力変換装置。
【請求項３】
現時点で記憶している直前の位相と、位相を進めるための単位位相とに基づいて、前記スイッチング動作の指令をするタイミングの位相を得る請求項１に記載の電力変換装置。
【請求項４】
現時点で記憶している直前の位相に、位相を進めるための単位位相に所定値を乗じた位相を加算して、前記タイミングの位相とする請求項３に記載の電力変換装置。
【請求項５】
直流電源とＤＣバスとの間に接続されたＤＣ／ＤＣコンバータと、前記ＤＣバスの２線間に接続された中間コンデンサと、前記ＤＣバスと商用電力系統との間に設けられたフルブリッジ回路と、前記商用電力系統と前記フルブリッジ回路との間に設けられ、交流リアクトル及び交流側コンデンサを含むフィルタ回路と、を備え、前記商用電力系統の絶対値のピーク値より低い電圧の直流電源の直流電力から交流電力への変換又はその逆の変換を行う電力変換装置において、その制御部が実行する電力変換装置の制御方法であって、
前記交流電力の電圧、前記交流リアクトルを流れる電流及び前記交流リアクトルのインピーダンスによる電圧変化、前記中間コンデンサ及び前記交流側コンデンサをそれぞれ流れる無効電流、並びに、前記直流電力の電圧に基づいて、前記ＤＣ／ＤＣコンバータの電流目標値を、前記交流電力の電流と同期するように設定して、交流半サイクル内で、交流の位相に応じて、前記ＤＣ／ＤＣコンバータ及び前記フルブリッジ回路の一方にスイッチング動作を行わせ、他方は休止させる期間を生じさせ、その際、
前記交流電力の電圧として、前記商用電力系統の交流電圧検出値に基づいて抽出した基本波に、検出や制御系の遅れを考慮して位相を補足した電圧を用いる、電力変換装置の制御方法。
【請求項６】
商用電力系統と、その交流電圧の絶対値のピーク値より低い電圧の直流電源との間に設けられ、直流電力から交流電力への変換又はその逆の変換を行う電力変換装置であって、
前記直流電源とＤＣバスとの間に接続されたＤＣ／ＤＣコンバータと、
前記ＤＣバスの２線間に接続された中間コンデンサと、
前記ＤＣバスと前記商用電力系統との間に設けられたフルブリッジ回路と、
前記商用電力系統と前記フルブリッジ回路との間に設けられ、交流リアクトル及び交流側コンデンサを含むフィルタ回路と、
交流半サイクル内で、交流の位相に応じて、前記ＤＣ／ＤＣコンバータ及び前記フルブリッジ回路の一方にスイッチング動作を行わせ、他方は休止させる期間を生じさせる制御部と、を備え、前記制御部は、
前記交流電力の電圧、前記交流リアクトルを流れる電流及び前記交流リアクトルのインピーダンスによる電圧変化、前記中間コンデンサ及び前記交流側コンデンサをそれぞれ流れる無効電流、並びに、前記直流電力の電圧に基づいて、前記ＤＣ／ＤＣコンバータの電流目標値を、前記交流電力の電流と同期するように設定するとともに、
前記交流電力の電圧として、前記商用電力系統の交流電圧検出値に基づいて抽出した基本波に高調波を考慮した電圧を用いる、電力変換装置。
【請求項７】
直流電源とＤＣバスとの間に接続されたＤＣ／ＤＣコンバータと、前記ＤＣバスの２線間に接続された中間コンデンサと、前記ＤＣバスと商用電力系統との間に設けられたフルブリッジ回路と、前記商用電力系統と前記フルブリッジ回路との間に設けられ、交流リアクトル及び交流側コンデンサを含むフィルタ回路と、を備え、前記商用電力系統の絶対値のピーク値より低い電圧の直流電源の直流電力から交流電力への変換又はその逆の変換を行う電力変換装置において、その制御部が実行する電力変換装置の制御方法であって、
前記交流電力の電圧、前記交流リアクトルを流れる電流及び前記交流リアクトルのインピーダンスによる電圧変化、前記中間コンデンサ及び前記交流側コンデンサをそれぞれ流れる無効電流、並びに、前記直流電力の電圧に基づいて、前記ＤＣ／ＤＣコンバータの電流目標値を、前記交流電力の電流と同期するように設定して、交流半サイクル内で、交流の位相に応じて、前記ＤＣ／ＤＣコンバータ及び前記フルブリッジ回路の一方にスイッチング動作を行わせ、他方は休止させる期間を生じさせ、その際、
前記交流電力の電圧として、前記商用電力系統の交流電圧検出値に基づいて抽出した基本波に高調波を考慮した電圧を用いる、電力変換装置の制御方法。
【発明の詳細な説明】
【技術分野】
【０００１】
本発明は、電力変換装置及びその制御方法に関する。
【背景技術】
【０００２】
蓄電池から出力する直流電圧を交流電圧に変換して負荷に提供する電力変換装置は、ＵＰＳ（Uninterruptible Power Supply：無停電電源装置）等のバックアップ電源装置として多く用いられている（例えば特許文献１（図１）参照。）。このような電力変換装置は、蓄電池の電圧を昇圧するＤＣ／ＤＣコンバータと、直流を交流に変換するインバータとを備えている。また、電力変換装置は、双方向性があり、通常は、商用電源などの交流電源から出力される交流電圧を、充電に適した直流電圧に変換して蓄電池の充電を行っている。この場合、インバータはＡＣ／ＤＣコンバータとなり、ＤＣ／ＤＣコンバータは降圧の機能を発揮する。
一方、太陽光発電等の直流電源から得られる直流電力を交流電力に変換して交流電力系統との系統連系を行うことにも、電力変換装置（パワーコンディショナ）が用いられる（例えば特許文献２参照。）。
【先行技術文献】
【特許文献】
【０００３】
【特許文献１】特開２００３−３４８７６８号公報
【特許文献２】特開２０００−１５２６５１号公報
【特許文献３】特開２０１４−２４１７１４号公報
【発明の概要】
【発明が解決しようとする課題】
【０００４】
上記のような従来の電力変換装置において、ＡＣ／ＤＣコンバータ及びＤＣ／ＤＣコンバータは共に、スイッチング素子によって構成されており、常に高速なスイッチングを行っている。かかるスイッチング素子は微小なスイッチング損失を伴う。１回のスイッチング損失は微小であるものの、複数のスイッチング素子が高周波でスイッチングを行うと、全体としては、無視できない程度のスイッチング損失が生じる。このスイッチング損失は当然に、電力損失となる。一方、特許文献２には損失を低減する制御方式が提案されているが、それだけでは十分な損失低減効果が得られず、また、交流波形に歪みが発生するという問題がある。
【０００５】
そこで、本願発明者の一部の者により、ＡＣ／ＤＣコンバータとＤＣ／ＤＣコンバータとに交互にスイッチング休止期間を設けて、全体としてのスイッチング回数を最小限に減らす変換方式（以下、最小スイッチング変換方式と言う。）により、スイッチング損失等を軽減し、高い変換効率を得る電力変換装置を提案した（特許文献３参照。）。しかしながら、系統連系時の総合電流歪率に関して、さらに品質を高め、仮に商用電力系統の交流電圧があまり品質の良くないものであっても、電力変換装置の発振等を防止し、安定した優れた総合電流歪率が得られるようにしたい。
【０００６】
かかる課題に鑑み、本発明は、電力変換装置において変換効率を高める他、交流電流の総合電流歪率を、安定して優れたものとすることを目的とする。
【課題を解決するための手段】
【０００７】
本開示は、以下の発明を含む。但し、本発明は、特許請求の範囲によって定められるものである。
【０００８】
本発明の一表現に係る電力変換装置は、商用電力系統と、その交流電圧の絶対値のピーク値より低い電圧の直流電源との間に設けられ、直流電力から交流電力への変換又はその逆の変換を行う電力変換装置であって、前記直流電源とＤＣバスとの間に接続されたＤＣ／ＤＣコンバータと、前記ＤＣバスの２線間に接続された中間コンデンサと、前記ＤＣバスと前記商用電力系統との間に設けられたフルブリッジ回路と、前記商用電力系統と前記フルブリッジ回路との間に設けられ、交流リアクトル及び交流側コンデンサを含むフィルタ回路と、交流半サイクル内で、交流の位相に応じて、前記ＤＣ／ＤＣコンバータ及び前記フルブリッジ回路の一方にスイッチング動作を行わせ、他方は休止させる期間を生じさせる制御部と、を備え、前記制御部は、前記交流電力の電圧、前記交流リアクトルを流れる電流及び前記交流リアクトルのインピーダンスによる電圧変化、前記中間コンデンサ及び前記交流側コンデンサをそれぞれ流れる無効電流、並びに、前記直流電力の電圧に基づいて、前記ＤＣ／ＤＣコンバータの電流目標値を、前記交流電力の電流と同期するように設定するとともに、前記交流電力の電圧として、前記商用電力系統の交流電圧検出値に基づいて抽出した基本波に、検出や制御系の遅れを考慮して位相を補足した電圧を用いる、電力変換装置である。
【０００９】
また、本発明の一表現に係る電力変換装置の制御方法は、直流電源とＤＣバスとの間に接続されたＤＣ／ＤＣコンバータと、前記ＤＣバスの２線間に接続された中間コンデンサと、前記ＤＣバスと商用電力系統との間に設けられたフルブリッジ回路と、前記商用電力系統と前記フルブリッジ回路との間に設けられ、交流リアクトル及び交流側コンデンサを含むフィルタ回路と、を備え、前記商用電力系統の絶対値のピーク値より低い電圧の直流電源の直流電力から交流電力への変換又はその逆の変換を行う電力変換装置において、その制御部が実行する電力変換装置の制御方法であって、前記交流電力の電圧、前記交流リアクトルを流れる電流及び前記交流リアクトルのインピーダンスによる電圧変化、前記中間コンデンサ及び前記交流側コンデンサをそれぞれ流れる無効電流、並びに、前記直流電力の電圧に基づいて、前記ＤＣ／ＤＣコンバータの電流目標値を、前記交流電力の電流と同期するように設定して、交流半サイクル内で、交流の位相に応じて、前記ＤＣ／ＤＣコンバータ及び前記フルブリッジ回路の一方にスイッチング動作を行わせ、他方は休止させる期間を生じさせ、その際、前記交流電力の電圧として、前記商用電力系統の交流電圧検出値に基づいて抽出した基本波に、検出や制御系の遅れを考慮して位相を補足した電圧を用いる、電力変換装置の制御方法である。
【００１０】
また、本発明の他の表現による電力変換装置は、商用電力系統と、その交流電圧の絶対値のピーク値より低い電圧の直流電源との間に設けられ、直流電力から交流電力への変換又はその逆の変換を行う電力変換装置であって、前記直流電源とＤＣバスとの間に接続されたＤＣ／ＤＣコンバータと、前記ＤＣバスの２線間に接続された中間コンデンサと、前記ＤＣバスと前記商用電力系統との間に設けられたフルブリッジ回路と、前記商用電力系統と前記フルブリッジ回路との間に設けられ、交流リアクトル及び交流側コンデンサを含むフィルタ回路と、交流半サイクル内で、交流の位相に応じて、前記ＤＣ／ＤＣコンバータ及び前記フルブリッジ回路の一方にスイッチング動作を行わせ、他方は休止させる期間を生じさせる制御部と、を備え、前記制御部は、前記交流電力の電圧、前記交流リアクトルを流れる電流及び前記交流リアクトルのインピーダンスによる電圧変化、前記中間コンデンサ及び前記交流側コンデンサをそれぞれ流れる無効電流、並びに、前記直流電力の電圧に基づいて、前記ＤＣ／ＤＣコンバータの電流目標値を、前記交流電力の電流と同期するように設定するとともに、前記交流電力の電圧として、前記商用電力系統の交流電圧検出値に基づいて抽出した基本波に高調波を考慮した電圧を用いる、電力変換装置である。
【００１１】
また、本発明の他の表現による電力変換装置の制御方法は、直流電源とＤＣバスとの間に接続されたＤＣ／ＤＣコンバータと、前記ＤＣバスの２線間に接続された中間コンデンサと、前記ＤＣバスと商用電力系統との間に設けられたフルブリッジ回路と、前記商用電力系統と前記フルブリッジ回路との間に設けられ、交流リアクトル及び交流側コンデンサを含むフィルタ回路と、を備え、前記商用電力系統の絶対値のピーク値より低い電圧の直流電源の直流電力から交流電力への変換又はその逆の変換を行う電力変換装置において、その制御部が実行する電力変換装置の制御方法であって、前記交流電力の電圧、前記交流リアクトルを流れる電流及び前記交流リアクトルのインピーダンスによる電圧変化、前記中間コンデンサ及び前記交流側コンデンサをそれぞれ流れる無効電流、並びに、前記直流電力の電圧に基づいて、前記ＤＣ／ＤＣコンバータの電流目標値を、前記交流電力の電流と同期するように設定して、交流半サイクル内で、交流の位相に応じて、前記ＤＣ／ＤＣコンバータ及び前記フルブリッジ回路の一方にスイッチング動作を行わせ、他方は休止させる期間を生じさせ、その際、前記交流電力の電圧として、前記商用電力系統の交流電圧検出値に基づいて抽出した基本波に高調波を考慮した電圧を用いる、電力変換装置の制御方法である。
【発明の効果】
【００１２】
本発明によれば、電力変換の変換効率を高める他、交流電流の総合電流歪率を、安定して優れたものとすることができる。
【図面の簡単な説明】
【００１３】
【図１】インバータ装置を備えたシステムの一例を示すブロック図である。
【図２】インバータ装置の回路図の一例である。
【図３】制御部のブロック図である。
【図４】直流入力電圧検出値、及び昇圧回路電流検出値の経時変化をシミュレーションにより求めた結果の一例を示すグラフである。
【図５】平均化処理部が行う、直流入力電圧検出値Ｖｇを平均化する際の態様を示す図である。
【図６】制御処理部による制御処理を説明するための制御ブロック図である。
【図７】昇圧回路及びインバータ回路の制御処理を示すフローチャートである。
【図８】（ａ）は、制御処理部がフィードバック制御において求めた昇圧回路電流目標値、及びこれに従って制御した場合の昇圧回路電流検出値をシミュレーションにより求めた結果の一例を示すグラフであり、（ｂ）は、制御処理部がフィードバック制御において求めた昇圧回路電圧目標値、及びこれに従って制御した場合の昇圧回路電圧検出値をシミュレーションにより求めた結果の一例を示すグラフである。
【図９】インバータ出力電圧目標値の一例を示す図である。
【図１０】（ａ）は、昇圧回路用搬送波と、昇圧回路用参照波とを比較したグラフであり、（ｂ）は、昇圧回路制御部が生成したスイッチング素子Ｑｂを駆動するための駆動波形である。
【図１１】（ａ）は、インバータ回路用搬送波と、インバータ回路用参照波とを比較したグラフ、（ｂ）は、インバータ回路制御部が生成したスイッチング素子Ｑ１を駆動するための駆動波形、（ｃ）は、インバータ回路制御部が生成したスイッチング素子Ｑ３を駆動するための駆動波形である。
【図１２】参照波、及び各スイッチング素子の駆動波形の一例とともに、インバータ装置が出力する交流電力の電流波形の一例を示した図である。
【図１３】（ａ）は、インバータ回路から出力された交流電圧、商用電力系統、及び交流リアクトルの両端電圧、それぞれの電圧波形を示したグラフであり、（ｂ）は、交流リアクトルに流れる電流波形を示したグラフである。
【図１４】交流から直流への電力変換装置を備えた蓄電システムの一例を示すブロック図である。
【図１５】電力変換装置の回路図の一例である。
【図１６】電力変換装置の動作を概念的に示した電圧波形の図である。
【図１７】（ａ）は、系統模擬電源の良質な交流電圧を表し、（ｂ）は制御用の系統電圧に系統電圧の測定値Ｖａｄを用いて制御を行った場合の、交流の系統電流を表す波形図である。
【図１８】（ａ）は、系統模擬電源の交流電圧を表し、（ｂ）は制御用の系統電圧Ｖａを用いて制御を行った場合の、交流の系統電流を表す波形図である。
【図１９】（ａ）は、実際の交流の系統電圧を示す波形図であり、（ｂ）は、制御用には系統電圧の測定値Ｖａｄを用いて制御を行った場合の、交流の系統電流を表す波形図である。
【図２０】（ａ）は、実際の交流の系統電圧を示す波形図であり、（ｂ）は、制御用に系統電圧Ｖａを用いて制御を行った場合の、交流の系統電流を表す波形図である。
【図２１】特に歪みの多い系統電圧の高調波を考慮しないでインバータ出力電圧目標値を定めて制御する場合の系統電圧の波形図（上）及び出力電流の波形図（下）である。
【図２２】特に歪みの多い系統電圧の高調波を考慮してインバータ出力電圧目標値を定めて制御する場合の系統電圧の波形図（上）及び出力電流の波形図（下）である。
【発明を実施するための形態】
【００１４】
［実施形態の要旨］
本発明の実施形態の要旨としては、少なくとも以下のものが含まれる。
【００１５】
（１）これは、商用電力系統と、その交流電圧の絶対値のピーク値より低い電圧の直流電源との間に設けられ、直流電力から交流電力への変換又はその逆の変換を行う電力変換装置であって、前記直流電源とＤＣバスとの間に接続されたＤＣ／ＤＣコンバータと、前記ＤＣバスの２線間に接続された中間コンデンサと、前記ＤＣバスと前記商用電力系統との間に設けられたフルブリッジ回路と、前記商用電力系統と前記フルブリッジ回路との間に設けられ、交流リアクトル及び交流側コンデンサを含むフィルタ回路と、交流半サイクル内で、交流の位相に応じて、前記ＤＣ／ＤＣコンバータ及び前記フルブリッジ回路の一方にスイッチング動作を行わせ、他方は休止させる期間を生じさせる制御部と、を備え、前記制御部は、前記交流電力の電圧、前記交流リアクトルを流れる電流及び前記交流リアクトルのインピーダンスによる電圧変化、前記中間コンデンサ及び前記交流側コンデンサをそれぞれ流れる無効電流、並びに、前記直流電力の電圧に基づいて、前記ＤＣ／ＤＣコンバータの電流目標値を、前記交流電力の電流と同期するように設定するとともに、前記交流電力の電圧として、前記商用電力系統の交流電圧検出値に基づいて抽出した基本波に、検出や制御系の遅れを考慮して位相を補足した電圧を用いる、電力変換装置である。
【００１６】
上記のように構成された電力変換装置では、制御部により、交流半サイクル内で、交流の位相に応じて、前記ＤＣ／ＤＣコンバータ及び前記フルブリッジ回路の一方にスイッチング動作を行わせ、他方は休止させる期間を生じさせる、という「最小スイッチング変換方式」を実行する。この方式を高い変換効率で実現すべく、交流電力の電圧、交流リアクトルを流れる電流及びインピーダンスによる電圧変化、中間コンデンサ及び交流側コンデンサをそれぞれ流れる無効電流、並びに、直流電力の電圧に基づいて、ＤＣ／ＤＣコンバータの電流目標値を、交流電力の電流と同期するように設定する。そして、交流電力の電圧として、商用電力系統の交流電圧検出値に基づいて抽出した基本波に、検出や制御系の遅れを考慮して位相を補足した電圧を用いることで、電圧位相に対する制御の遅延を抑制し、また、商用電力系統の系統電圧の擾乱の影響を排除して、安定した、歪の少ない交流電流を得ることができる。
【００１７】
（２）例えば（１）の電力変換装置において、前記制御部は、負荷への出力電流目標値をＩａ＊、前記交流側コンデンサの静電容量をＣａ、前記交流の系統電圧をＶａ、前記直流電源側の電圧をＶＤＣ、ラプラス演算子をｓとするとき、前記フィルタ回路と前記フルブリッジ回路との回路接続点での前記フルブリッジ回路の交流出力電流目標値Ｉｉｎｖ＊を、
Ｉｉｎｖ＊＝  Ｉａ＊＋ｓ ＣａＶａ
に設定し、さらに、前記交流リアクトルのインピーダンスをＺａとするとき、前記回路接続点での前記フルブリッジ回路の交流出力電圧目標値Ｖｉｎｖ＊を、
Ｖｉｎｖ＊＝  Ｖａ＋ＺａＩｉｎｖ＊
に設定し、前記電圧ＶＤＣ、及び、前記フルブリッジ回路の交流出力電圧目標値Ｖｉｎｖ＊の絶対値のいずれか大きい方を、前記ＤＣ／ＤＣコンバータの出力電圧目標値Ｖｏ＊に設定し、前記中間コンデンサの静電容量をＣとするとき、前記ＤＣ／ＤＣコンバータの電流目標値Ｉｉｎ＊は、
Ｉｉｎ＊＝｛（Ｉｉｎｖ＊  ×  Ｖｉｎｖ＊）＋（ｓ Ｃ Ｖｏ＊）×Ｖｏ＊｝／ＶＤＣ
に設定し、前記交流の系統電圧Ｖａは、前記実効値をＶａ＿ｒｍｓ、前記スイッチング動作の指令をするタイミングの位相をωｔとして、
Ｖａ＝√２ Ｖａ＿ｒｍｓ×ｓｉｎ（ωｔ）
とすることができる。
【００１８】
この場合、ＤＣ／ＤＣコンバータの電流目標値Ｉｉｎ＊は、交流電力の電圧、交流リアクトルを流れる電流とインピーダンスによる電圧変化、中間コンデンサや交流側コンデンサを流れる無効電流、及び直流電力の電圧を全て反映しており、従って、直流電源の電圧や、交流出力電流が変化したときでも、常に交流出力電流に同期した電力を出力することができる。このため、ＤＣ／ＤＣコンバータ及びフルブリッジ回路は必要最低限の回数の高周波スイッチングで、直流／交流の電力変換を行うことができる。その結果、半導体スイッチング素子のスイッチング損失、交流及び直流リアクトルの鉄損が大幅に低減され、高い変換効率を得ることができる。さらに、系統電圧Ｖａをこのように設定することで、低歪みの交流電流を得ることができる。
【００１９】
（３）また、（１）の電力変換装置において、現時点で記憶している直前の位相と、位相を進めるための単位位相とに基づいて、前記スイッチング動作の指令をするタイミングの位相を得るようにしてもよい。
この場合、直前の位相と、単位位相とに基づいて、演算により現在の位相を決定することができる。
【００２０】
（４）また、（３）の電力変換装置において、現時点で記憶している直前の位相に、位相を進めるための単位位相に所定値を乗じた位相を加算して、前記タイミングの位相とするようにしてもよい。
この場合、所定値を変えながら結果的に交流電流の総合電流歪率や力率が最も良くなる所定値の好適値を求めることができる。
【００２１】
（５）一方、これは、直流電源とＤＣバスとの間に接続されたＤＣ／ＤＣコンバータと、前記ＤＣバスの２線間に接続された中間コンデンサと、前記ＤＣバスと商用電力系統との間に設けられたフルブリッジ回路と、前記商用電力系統と前記フルブリッジ回路との間に設けられ、交流リアクトル及び交流側コンデンサを含むフィルタ回路と、を備え、前記商用電力系統の絶対値のピーク値より低い電圧の直流電源の直流電力から交流電力への変換又はその逆の変換を行う電力変換装置において、その制御部が実行する電力変換装置の制御方法であって、前記交流電力の電圧、前記交流リアクトルを流れる電流及び前記交流リアクトルのインピーダンスによる電圧変化、前記中間コンデンサ及び前記交流側コンデンサをそれぞれ流れる無効電流、並びに、前記直流電力の電圧に基づいて、前記ＤＣ／ＤＣコンバータの電流目標値を、前記交流電力の電流と同期するように設定して、交流半サイクル内で、交流の位相に応じて、前記ＤＣ／ＤＣコンバータ及び前記フルブリッジ回路の一方にスイッチング動作を行わせ、他方は休止させる期間を生じさせ、その際、前記交流電力の電圧として、前記商用電力系統の交流電圧検出値に基づいて抽出した基本波に、検出や制御系の遅れを考慮して位相を補足した電圧を用いる、電力変換装置の制御方法である。
【００２２】
上記のような電力変換装置の制御方法では、交流半サイクル内で、交流の位相に応じて、ＤＣ／ＤＣコンバータ及びフルブリッジ回路の一方にスイッチング動作を行わせ、他方は休止させる期間を生じさせる、という「最小スイッチング変換方式」を実行する。この方式を高い変換効率で実現すべく、交流電力の電圧、交流リアクトルを流れる電流及びインピーダンスによる電圧変化、中間コンデンサ及び交流側コンデンサをそれぞれ流れる無効電流、並びに、直流電力の電圧に基づいて、ＤＣ／ＤＣコンバータの電流目標値を、交流電力の電流と同期するように設定する。そして、交流電力の電圧として、商用電力系統の交流電圧検出値に基づいて抽出した基本波に、検出や制御系の遅れを考慮して位相を補足した電圧を用いることで、電圧位相に対する制御の遅延を抑制し、また、商用電力系統の系統電圧の擾乱の影響を排除して、安定した、歪の少ない交流電流を得ることができる。
【００２３】
（６）また、これは、商用電力系統と、その交流電圧の絶対値のピーク値より低い電圧の直流電源との間に設けられ、直流電力から交流電力への変換又はその逆の変換を行う電力変換装置であって、前記直流電源とＤＣバスとの間に接続されたＤＣ／ＤＣコンバータと、前記ＤＣバスの２線間に接続された中間コンデンサと、前記ＤＣバスと前記商用電力系統との間に設けられたフルブリッジ回路と、前記商用電力系統と前記フルブリッジ回路との間に設けられ、交流リアクトル及び交流側コンデンサを含むフィルタ回路と、交流半サイクル内で、交流の位相に応じて、前記ＤＣ／ＤＣコンバータ及び前記フルブリッジ回路の一方にスイッチング動作を行わせ、他方は休止させる期間を生じさせる制御部と、を備え、前記制御部は、前記交流電力の電圧、前記交流リアクトルを流れる電流及び前記交流リアクトルのインピーダンスによる電圧変化、前記中間コンデンサ及び前記交流側コンデンサをそれぞれ流れる無効電流、並びに、前記直流電力の電圧に基づいて、前記ＤＣ／ＤＣコンバータの電流目標値を、前記交流電力の電流と同期するように設定するとともに、前記交流電力の電圧として、前記商用電力系統の交流電圧検出値に基づいて抽出した基本波に高調波を考慮した電圧を用いる、電力変換装置である。
【００２４】
この場合、商用電力系統の交流電圧が歪んでいても、（１）の電力変換装置よりさらに、安定した、歪の少ない交流電流を得ることができる。
【００２５】
（７）また、これは、直流電源とＤＣバスとの間に接続されたＤＣ／ＤＣコンバータと、前記ＤＣバスの２線間に接続された中間コンデンサと、前記ＤＣバスと商用電力系統との間に設けられたフルブリッジ回路と、前記商用電力系統と前記フルブリッジ回路との間に設けられ、交流リアクトル及び交流側コンデンサを含むフィルタ回路と、を備え、前記商用電力系統の絶対値のピーク値より低い電圧の直流電源の直流電力から交流電力への変換又はその逆の変換を行う電力変換装置において、その制御部が実行する電力変換装置の制御方法であって、前記交流電力の電圧、前記交流リアクトルを流れる電流及び前記交流リアクトルのインピーダンスによる電圧変化、前記中間コンデンサ及び前記交流側コンデンサをそれぞれ流れる無効電流、並びに、前記直流電力の電圧に基づいて、前記ＤＣ／ＤＣコンバータの電流目標値を、前記交流電力の電流と同期するように設定して、交流半サイクル内で、交流の位相に応じて、前記ＤＣ／ＤＣコンバータ及び前記フルブリッジ回路の一方にスイッチング動作を行わせ、他方は休止させる期間を生じさせ、その際、前記交流電力の電圧として、前記商用電力系統の交流電圧検出値に基づいて抽出した基本波に高調波を考慮した電圧を用いる、電力変換装置の制御方法である。
【００２６】
この場合、商用電力系統の交流電圧が歪んでいても、（５）の制御方法よりさらに、安定した、歪の少ない交流電流を得ることができる。
【００２７】
［実施形態の詳細］
以下、本発明の実施形態について、図面を参照して詳細に説明する。
【００２８】
＜第１実施形態＞
［直流から交流への電力変換装置］
まず、系統連系機能を備えた、直流から交流への電力変換装置（以下、単にインバータ装置という。）について詳細に説明する。
【００２９】
《全体構成について》
図１は、一実施形態に係るインバータ装置を備えたシステムの一例を示すブロック図である。図中、インバータ装置１の入力端には、直流電源としての太陽光発電パネル２が接続され、出力端には、交流の商用電力系統３（交流系統）が接続されている。このシステムは、太陽光発電パネル２が発電する直流電力を交流電力に変換し、商用電力系統３に出力する連系運転を行う。
【００３０】
インバータ装置１は、太陽光発電パネル２が出力する直流電力が与えられる昇圧回路（ＤＣ／ＤＣコンバータ）１０と、昇圧回路１０から与えられる電力を交流電力に変換して商用電力系統３に出力するインバータ回路（フルブリッジ回路）１１と、これら両回路１０，１１の動作を制御する制御部１２とを備えている。
【００３１】
図２は、インバータ装置１の回路図の一例である。
昇圧回路１０は、直流リアクトル１５と、ダイオード１６と、例えばＩＧＢＴ（Insulated Gate Bipolar Transistor）からなるスイッチング素子Ｑｂとを備えており、昇圧チョッパ回路を構成している。
昇圧回路１０の入力側には、第１電圧センサ１７、第１電流センサ１８、及び平滑化のためのコンデンサ２６が設けられている。
【００３２】
第１電圧センサ１７は、太陽光発電パネル２が出力し、昇圧回路１０に入力される直流電力の直流入力電圧検出値Ｖｇ（直流入力電圧値）を検出し、制御部１２に出力する。第１電流センサ１８は、直流リアクトル１５に流れる電流である昇圧回路電流検出値Ｉｉｎ（直流入力電流値）を検出し、制御部１２に出力する。なお、直流入力電流検出値Ｉｇを検出するために、コンデンサ２６の前段に、さらに電流センサを設けてもよい。
制御部１２は、直流入力電圧検出値Ｖｇ及び昇圧回路電流検出値Ｉｉｎから入力電力Ｐｉｎを演算し、太陽光発電パネル２に対するＭＰＰＴ（Maximum Power Point Tracking：最大電力点追従）制御を行う機能を有している。
【００３３】
また、昇圧回路１０のスイッチング素子Ｑｂは、後述するように、インバータ回路１１と合わせた合計のスイッチング動作を行う回数が最低限になるように制御され、停止期間が発生する。よって、昇圧回路１０は、スイッチング動作を行っている期間は、昇圧された電力をインバータ回路１１に出力し、スイッチング動作を停止している期間は、太陽光発電パネル２が出力して昇圧回路１０に入力される直流電力の直流入力電圧値を昇圧することなくインバータ回路１１に出力する。
【００３４】
昇圧回路１０と、インバータ回路１１との間には、平滑用のコンデンサ１９（中間コンデンサ）が接続されている。
インバータ回路１１は、例えばＦＥＴ（Field Effect Transistor）からなるスイッチング素子Ｑ１〜Ｑ４を備えている。これらスイッチング素子Ｑ１〜Ｑ４は、フルブリッジ回路を構成している。各スイッチング素子Ｑ１〜Ｑ４は、制御部１２に接続されており、制御部１２により制御可能とされている。制御部１２は、各スイッチング素子Ｑ１〜Ｑ４の動作をＰＷＭ（Pulse Width Modulation）制御する。これにより、インバータ回路１１は、昇圧回路１０から与えられる電力を交流電力に変換する。
【００３５】
インバータ装置１は、インバータ回路１１と、商用電力系統３との間にフィルタ回路２１を備えている。
フィルタ回路２１は、交流リアクトル２２と、交流リアクトル２２の後段に設けられたコンデンサ２３（交流側コンデンサ）とを備えて構成されている。フィルタ回路２１は、インバータ回路１１から出力される交流電力に含まれる高周波成分を除去する機能を有している。フィルタ回路２１により高周波成分が除去された交流電力は、商用電力系統３に与えられる。
【００３６】
このように、昇圧回路１０及びインバータ回路１１は、太陽光発電パネル２が出力する直流電力を交流電力に変換し、変換した交流電力を、フィルタ回路２１を介して商用電力系統３へ出力する電力変換装置を構成している。
【００３７】
また、フィルタ回路２１には、インバータ回路１１による出力の電流値であるインバータ電流検出値Ｉｉｎｖ（交流リアクトル２２に流れる電流）を検出するための第２電流センサ２４が接続されている。さらに、フィルタ回路２１と、商用電力系統３との間には、商用電力系統３側の電圧値（系統電圧検出値Ｖａｄ）を検出するための第２電圧センサ２５が接続されている。
【００３８】
第２電流センサ２４及び第２電圧センサ２５は、検出した系統電圧検出値Ｖａｄ（商用電力系統の電圧値）及びインバータ電流検出値Ｉｉｎｖを制御部１２に出力する。なお、第２電流センサ２４は、図のように、コンデンサ２３の前段に設けるが、コンデンサ２３の後段にインバータ装置１の出力電流を検出する第３電流センサを追加してもよい。
【００３９】
《制御部について》
まず、制御部１２は、系統電圧検出値Ｖａｄのゼロクロスから次のゼロクロスまでの１サイクルの間に多数サンプリングした系統電圧検出値Ｖａｄに基づいて、下記の式（０１）により系統電圧の実効値Ｖａ＿ｒｍｓを求める。ここで、系統電圧検出値Ｖａｄは、位相ωｔの関数として表すことができる。
2018183035.tif 000003
なお、実効値を求める演算は、必ずしも連続して行わなくてもよいが、定期的に行うことが好ましい。
【００４０】
以後、系統電圧Ｖａとしては検出値ではなく、実効値から計算した基本波成分を用いる。すなわち、系統電圧Ｖａは、ゼロクロスからの位相をωｔとすれば、
Ｖａ＝√２・Ｖａ＿ｒｍｓ×ｓｉｎ（ωｔ）    ・・・（０２）
である。系統電圧Ｖａとして、実測値ではなく、式（０２）の値を使うことの効果については後述する。
【００４１】
最小スイッチング変換方式の後述の演算は割込処理で行われており、割込処理ごとに系統電圧の位相を決定する。ここで、割込処理１回で進めるべき位相をωｔ＿ｕｎｉｔ、割込処理の周波数をｆｉｎｔ、商用電力系統の電圧の周波数をｆｃｏｍとすると、以下の式（０３）が成り立つ。
ωｔ＿ｕｎｉｔ＝２π／（ｆｉｎｔ／ｆｃｏｍ）    ・・・（０３）
【００４２】
また、割込処理１回前の位相をωｔ＿ｎｏｒｍａｌ＿ｂｅｆｏｒｅ、そして、現在の系統電圧の位相をωｔ＿ｎｏｒｍａｌとすると、
ωｔ＿ｎｏｒｍａｌ＝ωｔ＿ｎｏｒｍａｌ＿ｂｅｆｏｒｅ+ ωｔ＿ｕｎｉｔ
・・・（０４）
となる。
【００４３】
さらに、この現在の系統電圧の位相を以下の式（０５）により補正する。補正後の系統電圧位相をωｔ＿ｃｏｒｒｅｃｔとすると、増倍率としての所定値をＮ（＞１）とすると、
ωｔ＿ｃｏｒｒｅｃｔ＝ωｔ＿ｎｏｒｍａｌ+ ωｔ＿ｕｎｉｔ    ×Ｎ
・・・（０５）
＝ωｔ＿ｎｏｒｍａｌ＿ｂｅｆｏｒｅ + ωｔ＿ｕｎｉｔ×(Ｎ＋１）
・・・（０６）
となる。Ｎの値としては例えば３が適する。
【００４４】
最小スイッチング変換方式の制御においては、系統電圧を実際に測定してから演算を行い、その結果に応じて、スイッチング素子の制御を行うが、この測定から制御までに僅かながら遅延時間が存在する。本発明者らは、この遅延時間が、交流電流の総合電流歪率等の電力品質に悪影響を及ぼしているという知見を得た。また、系統電圧にはノイズ等が含まれていることがある。そこで、式（０２）に示す系統電圧Ｖａを、既知の実効値に基づいて振幅を定めた基本波とすることで、実際の系統電圧であれば含まれ得るノイズ等の影響を排除することができる。また、位相に関しては、式（０５）、（０６）に示すように、スイッチング素子の制御を行う時の位相を割込処理の周期に基づいて進めて与えれば、検出や制御の遅延を抑制することができる。
【００４５】
制御部１２は、これら系統電圧Ｖａ及びインバータ電流検出値Ｉｉｎｖと、上述の直流入力電圧検出値Ｖｇ、昇圧回路電流検出値Ｉｉｎに基づいて、昇圧回路１０及びインバータ回路１１を制御する。
【００４６】
図３は、制御部１２のブロック図である。制御部１２は、図３に示すように、制御処理部３０と、昇圧回路制御部３２と、インバータ回路制御部３３と、平均化処理部３４とを機能的に有している。
制御部１２の各機能は、その一部又は全部がハードウェア回路によって構成されてもよいし、その一部又は全部が、ソフトウェア（コンピュータプログラム）をコンピュータによって実行させることで実現されていてもよい。制御部１２の機能を実現するソフトウェア（コンピュータプログラム）は、コンピュータの記憶装置（図示省略）に格納される。
【００４７】
昇圧回路制御部３２は、制御処理部３０から与えられる目標値及び検出値に基づいて、昇圧回路１０のスイッチング素子Ｑｂを制御し、前記目標値に応じた電流の電力を昇圧回路１０に出力させる。
また、インバータ回路制御部３３は、制御処理部３０から与えられる目標値及び検出値に基づいて、インバータ回路１１のスイッチング素子Ｑ１〜Ｑ４を制御し、前記目標値に応じた電流の電力をインバータ回路１１に出力させる。
【００４８】
制御処理部３０には、直流入力電圧検出値Ｖｇ、昇圧回路電流検出値Ｉｉｎ、系統電圧Ｖａ及びインバータ電流検出値Ｉｉｎｖが与えられる。
制御処理部３０は、直流入力電圧検出値Ｖｇ及び昇圧回路電流検出値Ｉｉｎから入力電力Ｐｉｎ及びその平均値〈Ｐｉｎ〉を演算する。なお、この記号〈  〉は、括弧内の値の平均値を示している。以下同じである。
制御処理部３０は、入力電力平均値〈Ｐｉｎ〉に基づいて、直流入力電流目標値Ｉｇ＊（後に説明する）を設定して太陽光発電パネル２に対するＭＰＰＴ制御を行うとともに、昇圧回路１０及びインバータ回路１１それぞれをフィードバック制御する機能を有している。
【００４９】
直流入力電圧検出値Ｖｇ及び昇圧回路電流検出値Ｉｉｎは、平均化処理部３４、及び制御処理部３０に与えられる。
【００５０】
平均化処理部３４は、第１電圧センサ１７及び第１電流センサ１８から与えられる直流入力電圧検出値Ｖｇ及び昇圧回路電流検出値Ｉｉｎを、予め設定された所定の時間間隔ごとにサンプリングし、それぞれの平均値を求め、平均化された直流入力電圧検出値Ｖｇ及び昇圧回路電流検出値Ｉｉｎを制御処理部３０に与える機能を有している。
【００５１】
図４は、直流入力電圧検出値Ｖｇ、及び昇圧回路電流検出値Ｉｉｎの経時変化をシミュレーションにより求めた結果の一例を示すグラフである。
また、直流入力電流検出値Ｉｇは、コンデンサ２６よりも入力側で検出される電流値である。
【００５２】
図４に示すように、直流入力電圧検出値Ｖｇ、昇圧回路電流検出値Ｉｉｎ、及び直流入力電流検出値Ｉｇは、系統電圧の１／２の周期で変動していることが判る。
【００５３】
図４に示すように、直流入力電圧検出値Ｖｇ、及び直流入力電流検出値Ｉｇが周期的に変動する理由は、次の通りである。すなわち、昇圧回路電流検出値Ｉｉｎは、昇圧回路１０、及びインバータ回路１１の動作に応じて、交流周期の１／２周期でほぼ０Ａからピーク値まで大きく変動する。そのため、コンデンサ２６で変動成分を完全に取り除くことができず、直流入力電流検出値Ｉｇは、交流周期の１／２周期で変動する成分を含む脈流となる。一方、太陽光発電パネルは出力電流によって出力電圧が変化する。
このため、直流入力電圧検出値Ｖｇに生じる周期的な変動は、インバータ装置１が出力する交流電力の１／２周期となっている。
【００５４】
平均化処理部３４は、上述の周期的変動による影響を抑制するために、直流入力電圧検出値Ｖｇ及び昇圧回路電流検出値Ｉｉｎを平均化する。
【００５５】
図５は、平均化処理部３４が行う、直流入力電圧検出値Ｖｇを平均化する際の態様を示す図である。
【００５６】
平均化処理部３４は、あるタイミングｔ１から、タイミングｔ２までの間の期間Ｌにおいて、予め設定された所定の時間間隔Δｔごとに、与えられる直流入力電圧検出値Ｖｇについて複数回サンプリング（図中、黒点のタイミング）を行い、得られた複数の直流入力電圧検出値Ｖｇの平均値を求める。
【００５７】
ここで、平均化処理部３４は、期間Ｌを商用電力系統３の周期長さの１／２の長さに設定する。また、平均化処理部３４は、時間間隔Δｔを、商用電力系統３の１／２周期の長さよりも十分短い期間に設定する。
これにより、平均化処理部３４は、商用電力系統３の周期と同期して周期的に変動する、直流入力電圧検出値Ｖｇの平均値を、できるだけサンプリングの期間を短くしつつ、精度よく求めることができる。
なお、サンプリングの時間間隔Δｔは、例えば、商用電力系統３の周期の１／１００〜１／１０００、或いは、２０マイクロ秒〜２００マイクロ秒等に設定することができる。
【００５８】
なお、平均化処理部３４は、期間Ｌを予め記憶しておくこともできるし、系統電圧Ｖａを取得して商用電力系統３の周期に基づいて期間Ｌを設定することもできる。
また、ここでは、期間Ｌを商用電力系統３の周期長さの１／２の長さに設定したが、期間Ｌは、少なくとも、商用電力系統３の１／２周期に設定すれば、直流入力電圧検出値Ｖｇの平均値を精度よく求めることができる。直流入力電圧検出値Ｖｇは、上述のように、昇圧回路１０、及びインバータ回路１１の動作によって、商用電力系統３の周期長さの１／２の長さで周期的に変動するからである。
よって、期間Ｌをより長く設定する必要がある場合、商用電力系統３の１／２周期の３倍や４倍といったように、期間Ｌを商用電力系統３の１／２周期の整数倍に設定すればよい。これによって、周期単位で電圧変動を把握できる。
【００５９】
上述したように、昇圧回路電流検出値Ｉｉｎも、直流入力電圧検出値Ｖｇと同様、商用電力系統３の１／２周期で周期的に変動する。
よって、平均化処理部３４は、図５に示した直流入力電圧検出値Ｖｇと同様の方法によって、昇圧回路電流検出値Ｉｉｎの平均値も求める。
制御処理部３０は、直流入力電圧検出値Ｖｇの平均値及び昇圧回路電流検出値Ｉｉｎの平均値をそれぞれ、期間Ｌごとに逐次求める。
【００６０】
平均化処理部３４は、求めた直流入力電圧検出値Ｖｇの平均値及び昇圧回路電流検出値Ｉｉｎの平均値を制御処理部３０に与える。
【００６１】
本実施形態では、上述のように、平均化処理部３４が、直流入力電圧検出値Ｖｇの平均値（直流入力電圧平均値〈Ｖｇ〉）及び昇圧回路電流検出値Ｉｉｎの平均値（昇圧回路電流平均値〈Ｉｉｎ〉）を求め、制御処理部３０は、これら値を用いて、太陽光発電パネル２に対するＭＰＰＴ制御を行いつつ、昇圧回路１０及びインバータ回路１１を制御するので、太陽光発電パネル２による直流電流が変動し不安定な場合にも、制御部１２は、太陽光発電パネル２からの出力を、インバータ装置１の動作による変動成分を取り除いた直流入力電圧平均値〈Ｖｇ〉及び昇圧回路電流平均値〈Ｉｉｎ〉として精度よく得ることができる。この結果、ＭＰＰＴ制御を好適に行うことができ、太陽光発電パネル２の発電効率が低下するのを効果的に抑制することができる。
【００６２】
また、上述したように、インバータ装置１の動作によって、太陽光発電パネル２が出力する直流電力の電圧（直流入力電圧検出値Ｖｇ）や電流（昇圧回路電流検出値Ｉｉｎ）に変動が生じる場合、その変動周期は、インバータ回路１１が出力する交流電力の１／２周期（商用電力系統３の１／２周期）と一致する。
この点、本実施形態では、商用電力系統３の周期長さの１／２の長さに設定された期間Ｌの間に、直流入力電圧検出値Ｖｇ及び昇圧回路電流検出値Ｉｉｎのそれぞれについて、交流系統の１／２周期よりも短い時間間隔Δｔで複数回サンプリングし、その結果から直流入力電圧平均値〈Ｖｇ〉及び昇圧回路電流平均値〈Ｉｉｎ〉を求めたので、直流電流の電圧及び電流が周期的に変動したとしても、できるだけサンプリングの期間を短くしつつ、直流入力電圧平均値〈Ｖｇ〉及び昇圧回路電流平均値〈Ｉｉｎ〉を精度よく求めることができる。
【００６３】
制御処理部３０は、上述の入力電力平均値〈Ｐｉｎ〉に基づいて、直流入力電流目標値Ｉｇ＊を設定し、この設定した直流入力電流目標値Ｉｇ＊や、上記値に基づいて、昇圧回路１０及びインバータ回路１１それぞれに対する目標値を求める。
制御処理部３０は、求めた目標値を昇圧回路制御部３２及びインバータ回路制御部３３に与え、昇圧回路１０及びインバータ回路１１それぞれをフィードバック制御する機能を有している。
【００６４】
図６は、制御処理部３０による昇圧回路１０、及びインバータ回路１１のフィードバック制御を説明するための制御ブロック図である。
制御処理部３０は、インバータ回路１１の制御を行うための機能部として、第１演算部４１、第１加算器４２、補償器４３、及び第２加算器４４を有している。
また、制御処理部３０は、昇圧回路１０の制御を行うための機能部として、第２演算部５１、第３加算器５２、補償器５３、及び第４加算器５４を有している。
【００６５】
図７は、昇圧回路１０及びインバータ回路１１の制御処理を示すフローチャートである。図６に示す各機能部は、図７に示すフローチャートに示す処理を実行することで、昇圧回路１０及びインバータ回路１１を制御する。
以下、図７に従って、昇圧回路１０及びインバータ回路１１の制御処理を説明する。
【００６６】
まず、制御処理部３０は、現状の入力電力平均値〈Ｐｉｎ〉を求め（ステップＳ９）、前回演算時の入力電力平均値〈Ｐｉｎ〉と比較して、直流入力電流目標値Ｉｇ＊を設定する（ステップＳ１）。なお、入力電力平均値〈Ｐｉｎ〉は、下記式（１）に基づいて求められる。
入力電力平均値〈Ｐｉｎ〉＝〈Ｉｉｎ×Ｖｇ〉  ・・・（１）
【００６７】
なお、式（１）中、Ｉｉｎは昇圧回路電流検出値、Ｖｇは直流入力電圧検出値（直流入力電圧値）であり、平均化処理部３４によって平均化された値である直流入力電圧平均値〈Ｖｇ〉及び昇圧回路電流平均値〈Ｉｉｎ〉が用いられる。
また、式（１）以外の以下に示す制御に関する各式においては、昇圧回路電流検出値Ｉｉｎ、及び直流入力電圧検出値Ｖｇは、平均化されていない瞬時値が用いられる。
【００６８】
制御処理部３０は、設定した直流入力電流目標値Ｉｇ＊を、第１演算部４１に与える。
第１演算部４１には、直流入力電流目標値Ｉｇ＊の他、直流入力電圧検出値Ｖｇ、系統電圧Ｖａも与えられる。
【００６９】
第１演算部４１は、下記式（２）に基づいて、インバータ装置１としての出力電流目標値の平均値〈Ｉａ＊〉を演算する。ηはインバータ装置１の変換効率を表す定数である。
出力電流目標値の平均値〈Ｉａ＊〉＝η〈Ｉｇ＊×Ｖｇ〉／〈Ｖａ〉  ・・・（２）
【００７０】
さらに、第１演算部４１は、下記式（３）に基づいて、出力電流目標値Ｉａ＊を求める（ステップＳ２）。
ここで、第１演算部４１は、出力電流目標値Ｉａ＊を系統電圧Ｖａと同位相の正弦波として求める。
出力電流目標値Ｉａ＊＝（√２）×〈Ｉａ＊〉×ｓｉｎ（ωｔ）    ・・・（３）
【００７１】
以上のように、第１演算部４１は、入力電力平均値〈Ｐｉｎ〉（直流電力の入力電力値）及び系統電圧Ｖａに基づいて出力電流目標値Ｉａ＊を求める。
次いで、第１演算部４１は、下記式（４）に示すように、インバータ回路１１を制御するための電流目標値であるインバータ電流目標値Ｉｉｎｖ＊（インバータ回路の電流目標値）を演算する（ステップＳ３）。
インバータ電流目標値Ｉｉｎｖ＊＝Ｉａ＊ ＋ ｓ ＣａＶａ    ・・・（４）
【００７２】
ただし、式（４）中、Ｃａは、コンデンサ２３（出力平滑コンデンサ）の静電容量、ｓはラプラス演算子である。
上記式（４）は、時間ｔでの微分を用いた表現とすれば、
Ｉｉｎｖ＊＝Ｉａ＊ ＋ Ｃａ×（ｄ Ｖａ／ｄｔ）    ・・・（４ａ）
となる。また、コンデンサ２３に流れる電流を検出してこれをＩｃａとすれば、
Ｉｉｎｖ＊＝Ｉａ＊ ＋ Ｉｃａ    ・・・（４ｂ）
となる。
式（４），（４ａ），（４ｂ）中、右辺第２項は、フィルタ回路２１のコンデンサ２３に流れる電流を考慮して加算した値である。
なお、出力電流目標値Ｉａ＊は、上記式（３）に示すように、系統電圧Ｖａと同位相の正弦波として求められる。つまり、制御処理部３０は、インバータ装置１が出力する交流電力の電流Ｉａ（出力電流）が系統電圧Ｖａと同位相となるようにインバータ回路１１を制御する。
【００７３】
第１演算部４１は、インバータ電流目標値Ｉｉｎｖ＊を求めると、このインバータ電流目標値Ｉｉｎｖ＊を第１加算器４２に与える。
インバータ回路１１は、このインバータ電流目標値Ｉｉｎｖ＊によって、フィードバック制御される。
【００７４】
第１加算器４２には、インバータ電流目標値Ｉｉｎｖ＊の他、現状のインバータ電流検出値Ｉｉｎｖが与えられる。
第１加算器４２は、インバータ電流目標値Ｉｉｎｖ＊と、現状のインバータ電流検出値Ｉｉｎｖとの差分を演算し、その演算結果を補償器４３に与える。
【００７５】
補償器４３は、上記差分が与えられると、比例係数等に基づいて演算を行い、さらに第２加算器４４によって系統電圧Ｖａと加算することにより、この差分を収束させインバータ電流検出値Ｉｉｎｖをインバータ電流目標値Ｉｉｎｖ＊とし得るインバータ電圧参照値Ｖｉｎｖ＃を求める。このインバータ電圧参照値Ｖｉｎｖ＃を第１演算部４１から与えられるＤＣ／ＤＣコンバータの出力電圧目標値Ｖｏ＊と比較することにより得られる制御信号をインバータ回路制御部３３に与えることで、インバータ回路１１に、インバータ電圧参照値Ｖｉｎｖ＃に従った電圧を出力させる。
インバータ回路１１が出力した電圧は、交流リアクトル２２に与えられ、新たなインバータ電流検出値Ｉｉｎｖとしてフィードバックされる。そして、第１加算器４２によってインバータ電流目標値Ｉｉｎｖ＊とインバータ電流検出値Ｉｉｎｖとの間の差分が再度演算され、上記同様、この差分に基づいてインバータ回路１１が制御される。
【００７６】
以上のようにして、インバータ回路１１は、インバータ電流目標値Ｉｉｎｖ＊と、インバータ電流検出値Ｉｉｎｖとによって、フィードバック制御される（ステップＳ４）。
【００７７】
一方、第２演算部５１には、直流入力電圧検出値Ｖｇ、系統電圧Ｖａの他、第１演算部４１が演算したインバータ電流目標値Ｉｉｎｖ＊が与えられる。
第２演算部５１は、下記式（５）に基づいて、インバータ出力電圧目標値Ｖｉｎｖ＊（インバータ回路の電圧目標値）を演算する（ステップＳ５）。
インバータ出力電圧目標値Ｖｉｎｖ＊＝Ｖａ＋ＺａＩｉｎｖ＊  ・・・（５）
【００７８】
ただし、式（５）中、Ｚａは、交流リアクトルのインピーダンス、ｓはラプラス演算子である。
上記式（５）は、時間ｔでの微分を用いた表現とすれば、
Ｖｉｎｖ＊＝Ｖａ ＋ ＲａＩｉｎｖ＊＋Ｌａ× （ｄ Ｉｉｎｖ＊／ｄｔ）
・・・（５ａ）
となる。ただし、Ｒａは交流リアクトルの抵抗、Ｌａは交流リアクトルのインダクタンスで、（Ｚａ＝Ｒａ＋ｓＬａ）である。
式（５）の右辺第２項、（５ａ）の右辺第２項および第３項は、交流リアクトル２２の両端に発生する電圧を考慮して加算した値である。
このように、本実施形態では、インバータ装置１が出力する交流電力の電流位相が系統電圧Ｖａと同位相となるようにインバータ回路１１を制御するための電流目標値であるインバータ電流目標値Ｉｉｎｖ＊に基づいてインバータ出力電圧目標値Ｖｉｎｖ＊を設定する。
【００７９】
上記のように、交流側の目標値であるインバータ回路１１の出力目標値（Ｉｉｎｖ＊，Ｖｉｎｖ＊）は、インバータ回路１１のブリッジ出力端すなわち、インバータ回路１１とフィルタ回路２１との回路接続点Ｐで設定される。これにより、本来の系統連系点（商用電力系統３とフィルタ回路２１との回路接続点）より目標値の設定点を前に移動し、最終的に適切な系統連系に落ち着くような系統連系が行われる。
【００８０】
インバータ出力電圧目標値Ｖｉｎｖ＊を求めると、下記式（６）に示すように、第２演算部５１は、直流電源側の電圧ＶＤＣとしての電圧Ｖｇ又は好ましくは下記の直流電圧Ｖｇｆと、インバータ出力電圧目標値Ｖｉｎｖ＊の絶対値とを比較して、大きい方を昇圧回路電圧目標値Ｖｏ＊に決定する（ステップＳ６）。直流電圧Ｖｇｆとは、Ｖｇに直流リアクトル１５のインピーダンスＺによる電圧降下を考慮した電圧であり、昇圧回路電流をＩｉｎとして、Ｖｇｆ＝Ｖｇ−ＺＩｉｎである。従って、
Ｖｏ＊＝Ｍａｘ（Ｖｇ−ＺＩｉｎ，Ｖｉｎｖ＊の絶対値）  ・・・（６）
とすることができる。
上記式（６）は、時間ｔでの微分を用いた表現とすれば、
Ｖｏ＊＝Ｍａｘ（Ｖｇ−（ＲＩｉｎ＋Ｌ（ｄ Ｉｉｎ／ｄｔ），Ｖｉｎｖ＊の絶対値）
・・・（６ａ）
である。ただし、Ｒは直流リアクトルの抵抗、Ｌは直流リアクトルのインダクタンスで、（Ｚ＝Ｒ＋ｓＬ）である。
【００８１】
さらに、第２演算部５１は、下記式（７）に基づいて、昇圧回路電流目標値Ｉｉｎ＊を演算する（ステップＳ７）。
昇圧回路電流目標値Ｉｉｎ＊＝
｛（Ｉｉｎｖ＊×Ｖｉｎｖ＊） ＋（ｓ Ｃ Ｖｏ＊）×Ｖｏ＊｝ ／ （Ｖｇ−ＺＩｉｎ）
・・・（７）
【００８２】
ただし、式（７）中、Ｃは、コンデンサ１９（平滑コンデンサ）の静電容量、ｓはラプラス演算子である。
上記式（７）は、時間ｔでの微分を用いた表現とすれば、
Ｉｉｎ＊＝
｛（Ｉｉｎｖ＊×Ｖｉｎｖ＊） ＋Ｃ×（ｄ Ｖｏ＊／ｄｔ）×Ｖｏ＊｝ ／ 
｛Ｖｇ−（Ｒ＋ｓＬ）Ｉｉｎ｝                    ・・・（７ａ）
となる。また、コンデンサ１９に流れる電流を検出してこれをＩｃとすれば、
Ｉｉｎ＊＝
｛（Ｉｉｎｖ＊×Ｖｉｎｖ＊） ＋Ｉｃ×Ｖｏ＊｝ ／ ｛Ｖｇ−ＺＩｉｎ｝
・・・（７ｂ）
となる。
【００８３】
式（７），（７ａ），（７ｂ）中、インバータ電流目標値Ｉｉｎｖ＊と、インバータ出力電圧目標値Ｖｉｎｖ＊との積に加算されている項は、コンデンサ１９を通過する無効電力を考慮した値である。すなわち、インバータ回路１１の電力目標値に加えて、無効電力を考慮することにより、より正確にＩｉｎ＊の値を求めることができる。
【００８４】
さらに、予めインバータ装置１の電力損失ＰＬＯＳＳを測定しておけば、上記式（７ａ）は、以下のようにも表すことができる。
Ｉｉｎ＊＝
｛（Ｉｉｎｖ＊×Ｖｉｎｖ＊） ＋ Ｃ×（ｄ Ｖｏ＊／ｄｔ）×Ｖｏ＊ ＋ ＰＬＯＳＳ｝／｛Ｖｇ−ＺＩｉｎ｝      ・・・（７ｃ）
同様に、上記式（７ｂ）は、以下のようにも表すことができる。
Ｉｉｎ＊＝
｛（Ｉｉｎｖ＊×Ｖｉｎｖ＊） ＋Ｉｃ×Ｖｏ＊ ＋ ＰＬＯＳＳ｝ ／ ｛Ｖｇ−ＺＩｉｎ｝
・・・（７ｄ）
この場合、インバータ回路１１の電力目標値に加えて、無効電力及び電力損失ＰＬＯＳＳを考慮することにより、より厳密にＩｉｎ＊の値を求めることができる。
【００８５】
なお、コンデンサ１９の静電容量Ｃ及び電力損失ＰＬＯＳＳが、（Ｉｉｎｖ＊×Ｖｉｎｖ＊）に比べて十分小さい場合、下記式（８）が成立する。この式（８）によって求まるＩｉｎ＊を式（６）、（６ａ）、（７）、（７ａ）、（７ｂ）、（７ｃ）および（７ｄ）の右辺に含まれるＩｉｎとして用いることができる。
昇圧回路電流目標値Ｉｉｎ＊＝（Ｉｉｎｖ＊×Ｖｉｎｖ＊）／Ｖｇ・・・（８）
【００８６】
第２演算部５１は、昇圧回路電流目標値Ｉｉｎ＊を求めると、この昇圧回路電流目標値Ｉｉｎ＊を第３加算器５２に与える。
昇圧回路１０は、この昇圧回路電流目標値Ｉｉｎ＊によって、フィードバック制御される。
【００８７】
第３加算器５２には、昇圧回路電流目標値Ｉｉｎ＊の他、現状の昇圧回路電流検出値Ｉｉｎが与えられる。
第３加算器５２は、昇圧回路電流目標値Ｉｉｎ＊と、現状の昇圧回路電流検出値Ｉｉｎとの差分を演算し、その演算結果を補償器５３に与える。
【００８８】
補償器５３は、上記差分が与えられると、比例係数等に基づいて演算を行い、さらに第４加算器５４によって直流入力電圧検出値Ｖｇからこれを減算することにより、この差分を収束させ昇圧回路電流検出値Ｉｉｎを昇圧回路電流目標値Ｉｉｎ＊とし得る昇圧回路電圧参照値Ｖｂｃ＃を求める。この昇圧回路電圧参照値Ｖｂｃ＃を第１演算部４１から与えられるＤＣ／ＤＣコンバータの出力電圧目標値Ｖｏ＊と比較することにより得られる制御信号を昇圧回路制御部３２に与えることで、昇圧回路１０に、昇圧回路電圧参照値Ｖｂｃ＃に従った電圧を出力させる。
昇圧回路１０が出力した電力は、直流リアクトル１５に与えられ、新たな昇圧回路電流検出値Ｉｉｎとしてフィードバックされる。そして、第３加算器５２によって昇圧回路電流目標値Ｉｉｎ＊と昇圧回路電流検出値Ｉｉｎとの間の差分が再度演算され、上記同様、この差分に基づいて昇圧回路１０が制御される。
【００８９】
以上のようにして、昇圧回路１０は、昇圧回路電流目標値Ｉｉｎ＊と、昇圧回路電流検出値Ｉｉｎとによって、フィードバック制御される（ステップＳ８）。
【００９０】
上記ステップＳ８の後、制御処理部３０は、上記式（１）に基づいて、現状の入力電力平均値〈Ｐｉｎ〉を求める（ステップＳ９）。
【００９１】
制御処理部３０は、前回演算時の入力電力平均値〈Ｐｉｎ〉と比較して、入力電力平均値〈Ｐｉｎ〉が最大値となるように（最大電力点に追従するように）、直流入力電流目標値Ｉｇ＊を設定する。
【００９２】
以上によって、制御処理部３０は、太陽光発電パネル２に対するＭＰＰＴ制御を行いつつ、昇圧回路１０及びインバータ回路１１を制御する。
【００９３】
制御処理部３０は、上述したように、インバータ回路１１及び昇圧回路１０を電流目標値によってフィードバック制御する。
図８の（ａ）は、制御処理部３０が上記フィードバック制御において求めた昇圧回路電流目標値Ｉｉｎ＊、及びこれに従って制御した場合の昇圧回路電流検出値Ｉｉｎをシミュレーションにより求めた結果の一例を示すグラフであり、（ｂ）は、制御処理部３０が上記フィードバック制御において求めた昇圧回路電圧目標値Ｖｏ＊、及びこれに従って制御した場合の昇圧回路電圧検出値Ｖｏをシミュレーションにより求めた結果の一例を示すグラフである。
【００９４】
図８の（ａ）に示すように、昇圧回路電流検出値Ｉｉｎは、制御処理部３０によって、昇圧回路電流目標値Ｉｉｎ＊に沿って制御されていることが判る。
また、図８（ｂ）に示すように、昇圧回路電圧目標値Ｖｏ＊は、上記式（６）によって求められるため、インバータ出力電圧目標値Ｖｉｎｖ＊の絶対値が、概ね直流入力電圧検出値Ｖｇ以上となる期間では、インバータ出力電圧目標値Ｖｉｎｖ＊の絶対値に倣い、それ以外の期間では直流入力電圧検出値Ｖｇに倣うように変化している。
昇圧回路電圧検出値Ｖｏは、制御処理部３０によって、昇圧回路電圧目標値Ｖｏ＊に沿って制御されていることが判る。
【００９５】
図９は、インバータ出力電圧目標値Ｖｉｎｖ＊の一例を示す図である。図中、縦軸は電圧、横軸は時間を示している。破線は、商用電力系統３の電圧波形を示しており、実線は、インバータ出力電圧目標値Ｖｉｎｖ＊の波形を示している。
インバータ回路１１は、図７のフローチャートに従った制御によって、図９に示すインバータ出力電圧目標値Ｖｉｎｖ＊を電圧目標値として電力を出力する。
よって、インバータ回路１１は、図９に示すインバータ出力電圧目標値Ｖｉｎｖ＊の波形に従った電圧の電力を出力する。
【００９６】
図に示すように、両波は、電圧値及び周波数は互いにほぼ同じであるが、インバータ出力電圧目標値Ｖｉｎｖ＊の位相の方が、商用電力系統３の電圧位相に対して数度進相している。
【００９７】
本実施形態の制御処理部３０は、上述のように、昇圧回路１０及びインバータ回路１１のフィードバック制御を実行する中で、インバータ出力電圧目標値Ｖｉｎｖ＊の位相を、商用電力系統３の電圧位相に対して約３度進相させている。
インバータ出力電圧目標値Ｖｉｎｖ＊の位相を商用電力系統３の電圧位相に対して進相させる角度は、数度であればよく、後述するように、商用電力系統３の電圧波形との間で差分を求めたときに得られる電圧波形が、商用電力系統３の電圧波形に対して９０度進んだ位相となる範囲で設定される。例えば、０度より大きくかつ１０度より小さい値の範囲で設定される。
【００９８】
上記進相させる角度は、上記式（５）に示すように、系統電圧Ｖａ、交流リアクトル２２のインダクタンスＬａ、及びインバータ電流目標値Ｉｉｎｖ＊によって定まる。この内、系統電圧Ｖａ、交流リアクトル２２のインダクタンスＬａは、制御対象外の固定値なので、進相させる角度は、インバータ電流目標値Ｉｉｎｖ＊によって定まる。
インバータ電流目標値Ｉｉｎｖ＊は、上記式（４）に示すように、出力電流目標値Ｉａ＊によって定まる。この出力電流目標値Ｉａ＊が大きくなるほど、インバータ電流目標値Ｉｉｎｖ＊における進相した成分が増加し、インバータ出力電圧目標値Ｖｉｎｖ＊の進み角（進相させる角度）が大きくなる。
【００９９】
出力電流目標値Ｉａ＊は、上記式（２）から求められるため、上記進相させる角度は、直流入力電流目標値Ｉｇ＊によって調整される。
【０１００】
《昇圧回路及びインバータ回路の制御について》
昇圧回路制御部３２は、昇圧回路１０のスイッチング素子Ｑｂを制御する。また、インバータ回路制御部３３は、インバータ回路１１のスイッチング素子Ｑ１〜Ｑ４を制御する。
【０１０１】
昇圧回路制御部３２及びインバータ回路制御部３３は、それぞれ昇圧回路用搬送波及びインバータ回路用搬送波を生成し、これら搬送波を制御処理部３０から与えられる目標値である昇圧回路電圧参照値Ｖｂｃ＃、及びインバータ電圧参照値Ｖｉｎｖ＃で変調し、各スイッチング素子を駆動するための駆動波形を生成する。
【０１０２】
昇圧回路制御部３２及びインバータ回路制御部３３は、上記駆動波形に基づいて各スイッチング素子を制御することで、昇圧回路電流目標値Ｉｉｎ＊、及びインバータ電流目標値Ｉｉｎｖ＊に近似した電流波形の交流電力を昇圧回路１０及びインバータ回路１１に出力させる。
【０１０３】
図１０の（ａ）は、昇圧回路用搬送波と、昇圧回路電圧参照値Ｖｂｃ＃の波形とを比較したグラフである。図中、縦軸は電圧、横軸は時間を示している。なお、図１０の（ａ）では、理解容易とするために、昇圧回路用搬送波の波長を実際よりも長くして示している。
昇圧回路制御部３２が生成する昇圧回路用搬送波は、極小値が「０」である三角波であり、振幅Ａ１が制御処理部３０から与えられる昇圧回路電圧目標値Ｖｏ＊とされている。
また、昇圧回路用搬送波の周波数は、制御処理部３０による制御命令によって、所定のディーティ比となるように、昇圧回路制御部３２によって設定される。
【０１０４】
なお、昇圧回路電圧目標値Ｖｏ＊は、上述したように、インバータ出力電圧目標値Ｖｉｎｖ＊の絶対値が、概ね直流入力電圧検出値Ｖｇ以上となる期間Ｗ１では、インバータ出力電圧目標値Ｖｉｎｖ＊の絶対値に倣い、それ以外の期間では直流入力電圧検出値Ｖｇに倣うように変化している。よって、昇圧回路用搬送波の振幅Ａ１も昇圧回路電圧目標値Ｖｏ＊に応じて変化している。
【０１０５】
なお、本実施形態では、直流入力電圧検出値Ｖｇが、２５０ボルトであり、商用電力系統３の電圧振幅が２８８ボルトであるとする。
【０１０６】
昇圧回路電圧参照値Ｖｂｃ＃の波形（以下、昇圧回路用参照波Ｖｂｃ＃ともいう）は、制御処理部３０が昇圧回路電流目標値Ｉｉｎ＊に基づいて求める値であり、インバータ出力電圧目標値Ｖｉｎｖ＊の絶対値が直流入力電圧検出値Ｖｇよりも大きな期間Ｗ１において、正の値となっている。昇圧回路用参照波Ｖｂｃ＃は、期間Ｗ１では、昇圧回路電圧目標値Ｖｏ＊が成す波形状と近似するような波形となっており、昇圧回路用搬送波に対して交差している。
【０１０７】
昇圧回路制御部３２は、昇圧回路用搬送波と昇圧回路用参照波Ｖｂｃ＃とを比較し、直流リアクトル１５の両端電圧の目標値である昇圧回路用参照波Ｖｂｃ＃が昇圧回路用搬送波以上となる部分でオン、搬送波以下となる部分でオフとなるように、スイッチング素子Ｑｂを駆動するための駆動波形を生成する。
【０１０８】
図１０（ｂ）は、昇圧回路制御部３２が生成したスイッチング素子Ｑｂを駆動するための駆動波形である。図中、縦軸は電圧、横軸は時間である。横軸は、図１０の（ａ）の横軸と一致するように示している。
この駆動波形は、スイッチング素子Ｑｂのスイッチング動作を示しており、スイッチング素子Ｑｂに与えることで、当該駆動波形に従ったスイッチング動作を実行させることができる。駆動波形は、電圧が０ボルトでスイッチング素子のスイッチをオフ、電圧がプラス電圧でスイッチング素子のスイッチをオンとする制御命令を構成している。
【０１０９】
昇圧回路制御部３２は、インバータ出力電圧目標値Ｖｉｎｖ＊の絶対値が直流入力電圧検出値Ｖｇ以上となる期間Ｗ１でスイッチング動作が行われるように駆動波形を生成する。よって、直流入力電圧検出値Ｖｇ以下の範囲では、スイッチング動作を停止させるようにスイッチング素子Ｑｂを制御する。
また、各パルス幅は、三角波である昇圧回路用搬送波の切片によって定まる。よって、電圧が高い部分ほどパルス幅が大きくなっている。
【０１１０】
以上のように、昇圧回路制御部３２は、昇圧回路用搬送波を昇圧回路用参照波Ｖｂｃ＃で変調し、スイッチングのためのパルス幅を表した駆動波形を生成する。昇圧回路制御部３２は、生成した駆動波形に基づいて昇圧回路１０のスイッチング素子ＱｂをＰＷＭ制御する。
【０１１１】
ダイオード１６に並列にダイオードの順方向に導通するスイッチング素子Ｑｂｕを設置する場合、スイッチング素子Ｑｂｕは、スイッチング素子Ｑｂの駆動波形と反転した駆動波形を用いる。ただし、スイッチング素子Ｑｂとスイッチング素子Ｑｂｕが同時に導通することを防ぐため、スイッチング素子Ｑｂｕの駆動パルスがオフからオンに移行するときに１マイクロ秒程度のデッドタイムを設ける。
【０１１２】
図１１の（ａ）は、インバータ回路用搬送波と、インバータ電圧参照値Ｖｉｎｖ＃の波形とを比較したグラフである。図中、縦軸は電圧、横軸は時間を示している。なお、図１１の（ａ）においても、理解容易とするために、インバータ回路用搬送波の波長を実際よりも長くして示している。
【０１１３】
インバータ回路制御部３３が生成するインバータ回路用搬送波は、振幅中央が０ボルトの三角波であり、その片側振幅が、昇圧回路電圧目標値Ｖｏ＊（コンデンサ２３の電圧目標値）に設定されている。よって、インバータ回路用搬送波の振幅Ａ２は、直流入力電圧検出値Ｖｇの２倍（５００ボルト）の期間と、商用電力系統３の電圧の２倍（最大５７６ボルト）の期間とを有している。
また、周波数は、制御処理部３０による制御命令等によって、所定のデューティ比となるように、インバータ回路制御部３３によって設定される。
【０１１４】
なお、昇圧回路電圧目標値Ｖｏ＊は、上述したように、インバータ出力電圧目標値Ｖｉｎｖ＊の絶対値が、概ね直流入力電圧検出値Ｖｇ以上となる期間Ｗ１では、インバータ出力電圧目標値Ｖｉｎｖ＊の絶対値に倣い、それ以外の期間である期間Ｗ２では直流入力電圧検出値Ｖｇに倣うように変化している。よって、インバータ回路用搬送波の振幅Ａ２も昇圧回路電圧目標値Ｖｏ＊に応じて変化している。
【０１１５】
インバータ電圧参照値Ｖｉｎｖ＃の波形（以下、インバータ回路用参照波Ｖｉｎｖ＃ともいう）は、制御処理部３０がインバータ電流目標値Ｉｉｎｖ＊に基づいて求める値であり、概ね商用電力系統３の電圧振幅（２８８ボルト）と同じに設定されている。よって、インバータ回路用参照波Ｖｉｎｖ＃は、電圧値が−Ｖｇ〜＋Ｖｇの範囲の部分で、インバータ回路用搬送波に対して交差している。
【０１１６】
インバータ回路制御部３３は、インバータ回路用搬送波とインバータ回路用参照波Ｖｉｎｖ＃とを比較し、電圧目標値であるインバータ回路用参照波Ｖｉｎｖ＃がインバータ回路用搬送波以上となる部分でオン、搬送波以下となる部分でオフとなるように、スイッチング素子Ｑ１〜４を駆動するための駆動波形を生成する。
【０１１７】
図１１（ｂ）は、インバータ回路制御部３３が生成したスイッチング素子Ｑ１を駆動するための駆動波形である。図中、縦軸は電圧、横軸は時間である。横軸は、図１１の（ａ）の横軸と一致するように示している。
インバータ回路制御部３３は、インバータ回路用参照波Ｖｉｎｖ＃の電圧が−Ｖｇ〜＋Ｖｇの範囲Ｗ２でスイッチング動作が行われるように駆動波形を生成する。よって、それ以外の範囲では、スイッチング動作を停止させるようにスイッチング素子Ｑ１を制御する。
【０１１８】
図１１（ｃ）は、インバータ回路制御部３３が生成したスイッチング素子Ｑ３を駆動するための駆動波形である。図中、縦軸は電圧、横軸は時間である。
インバータ回路制御部３３は、スイッチング素子Ｑ３については、図中破線で示しているインバータ回路用参照波Ｖｉｎｖ＃の反転波と、搬送波とを比較して駆動波形を生成する。
この場合も、インバータ回路制御部３３は、インバータ回路用参照波Ｖｉｎｖ＃（の反転波）の電圧が、−Ｖｇ〜＋Ｖｇの範囲Ｗ２でスイッチング動作が行われるように駆動波形を生成する。よって、それ以外の範囲では、スイッチング動作を停止させるようにスイッチング素子Ｑ３を制御する。
【０１１９】
なお、インバータ回路制御部３３は、スイッチング素子Ｑ２の駆動波形については、スイッチング素子Ｑ１の駆動波形を反転させたものを生成し、スイッチング素子Ｑ４の駆動波形については、スイッチング素子Ｑ３の駆動波形を反転させたものを生成する。
【０１２０】
以上のように、インバータ回路制御部３３は、インバータ回路用搬送波をインバータ回路用参照波Ｖｉｎｖ＃で変調し、スイッチングのためのパルス幅を表した駆動波形を生成する。インバータ回路制御部３３は、生成した駆動波形に基づいてインバータ回路１１のスイッチング素子Ｑ１〜Ｑ４をＰＷＭ制御する。
【０１２１】
本実施形態の昇圧回路制御部３２は、直流リアクトル１５に流れる電流が昇圧回路電流目標値Ｉｉｎ＊に一致するように電力を出力させる。この結果、インバータ出力電圧目標値Ｖｉｎｖ＊の絶対値が、概ね直流入力電圧検出値Ｖｇ以上となる期間Ｗ１（図１０）で昇圧回路１０にスイッチング動作を行わせる。昇圧回路１０は、期間Ｗ１で直流入力電圧検出値Ｖｇ以上の電圧をインバータ出力電圧目標値Ｖｉｎｖ＊の絶対値に近似するように電力を出力する。一方、インバータ出力電圧目標値Ｖｉｎｖ＊の絶対値が概ね直流入力電圧検出値Ｖｇ以下の期間では、昇圧回路制御部３２は、昇圧回路１０のスイッチング動作を停止させる。よって、直流入力電圧検出値Ｖｇ以下の期間では、昇圧回路１０は、太陽光発電パネル２が出力する直流電力の直流入力電圧値を昇圧することなくインバータ回路１１に出力する。
【０１２２】
また、本実施形態のインバータ回路制御部３３は、交流リアクトル２２に流れる電流が、インバータ電流目標値Ｉｉｎｖ＊に一致するように電力を出力させる。この結果、インバータ出力電圧目標値Ｖｉｎｖ＊が概ね−Ｖｇ〜＋Ｖｇの期間Ｗ２（図１１）でインバータ回路１１にスイッチング動作を行わせる。つまり、インバータ出力電圧目標値Ｖｉｎｖ＊の絶対値が直流入力電圧検出値Ｖｇ以下の期間でインバータ回路１１にスイッチング動作を行わせる。
よって、インバータ回路１１は、昇圧回路１０がスイッチング動作を停止している間、スイッチング動作を行い、インバータ出力電圧目標値Ｖｉｎｖ＊に近似する交流電力を出力する。
なお、インバータ回路用参照波Ｖｉｎｖ＃と、インバータ出力電圧目標値Ｖｉｎｖ＊とは近似するので、図１１の（ａ）においては重複している。
【０１２３】
一方、インバータ出力電圧目標値Ｖｉｎｖ＊の電圧が概ね−Ｖｇ〜＋Ｖｇの期間Ｗ２以外の期間では、インバータ回路制御部３３は、インバータ回路１１のスイッチング動作を停止させる。この間、インバータ回路１１には、昇圧回路１０により昇圧された電力が与えられる。よって、スイッチング動作を停止しているインバータ回路１１は、昇圧回路１０から与えられる電力を降圧することなく出力する。
【０１２４】
つまり、本実施形態のインバータ装置１は、昇圧回路１０とインバータ回路１１とを交互に切り替わるようにスイッチング動作させ、それぞれが出力する電力を重ね合わせることで、インバータ出力電圧目標値Ｖｉｎｖ＊に近似した電圧波形の交流電力を出力する。
【０１２５】
このように、本実施形態では、インバータ出力電圧目標値Ｖｉｎｖ＊の絶対値が、直流入力電圧検出値Ｖｇよりも高い部分の電圧を出力する際には昇圧回路１０を動作させ、インバータ出力電圧目標値Ｖｉｎｖ＊の絶対値が、直流入力電圧検出値Ｖｇよりも低い部分の電圧を出力する際にはインバータ回路１１を動作させるように制御される。よって、インバータ回路１１が、昇圧回路１０によって昇圧された電力を降圧することがないので、電圧を降圧する際の電位差を低く抑えることができるため、昇圧回路のスイッチングによる損失を低減し、より高効率で交流電力を出力することができる。
さらに、昇圧回路１０及びインバータ回路１１は、共に制御部１２が設定したインバータ出力電圧目標値Ｖｉｎｖ＊に基づいて動作するため、交互に切り替わるように出力される昇圧回路の電力と、インバータ回路の電力との間で、ずれや歪が生じるのを抑制することができる。
【０１２６】
図１２は、参照波、及びスイッチング素子の駆動波形の一例とともに、インバータ装置１が出力する交流電力の電流波形の一例を示した図である。
図１２において、最上段から順に、インバータ回路の参照波Ｖｉｎｖ＃及び搬送波、スイッチング素子Ｑ１の駆動波形、昇圧回路の参照波Ｖｂｃ＃及び搬送波、スイッチング素子Ｑｂの駆動波形、及びインバータ装置１が出力する交流電力の電流波形の目標値及び実測値を示すグラフを表している。これら各グラフの横軸は、時間を示しており、互いに一致するように示している。
【０１２７】
図に示すように、出力電流の実測値Ｉａは目標値Ｉａ＊と一致するように制御されていることが判る。
また、昇圧回路１０のスイッチング素子Ｑｂのスイッチング動作の期間と、インバータ回路１１のスイッチング素子Ｑ１〜Ｑ４のスイッチング動作の期間とは、概ね互いに交互に切り替わるように制御されていることが判る。
【０１２８】
また、本実施形態では、図８の（ａ）に示すように、昇圧回路は直流リアクトル１５を流れる電流が上記式（７）に基づいて求められる電流目標値Ｉｉｎ＊に一致するように制御される。この結果、昇圧回路とインバータ回路の電圧が、図８（ｂ）に示す波形となり、昇圧回路１０、及びインバータ回路１１の高周波スイッチング動作にそれぞれ停止期間があり、概ね交互にスイッチング動作を行う運転が可能になる。
【０１２９】
なお、理想的には昇圧回路１０とインバータ回路１１とで「交互に」高周波スイッチングを行い、高周波スイッチングの時期が重ならないことが好ましいが、実際には若干の重なりが生じても、それぞれの停止期間があれば、損失は低減され、高効率化に寄与する。
【０１３０】
《出力される交流電力の電流位相について》
本実施形態の昇圧回路１０及びインバータ回路１１は、制御部１２による制御によって、インバータ出力電圧目標値Ｖｉｎｖ＊に近似した電圧波形の交流電力を、その後段に接続されたフィルタ回路２１に出力する。インバータ装置１は、フィルタ回路２１を介して商用電力系統３に交流電力を出力する。
【０１３１】
ここで、インバータ出力電圧目標値Ｖｉｎｖ＊は、上述したように、制御処理部３０によって商用電力系統３の電圧位相に対して数度進相した電圧位相として生成される。
従って、昇圧回路１０及びインバータ回路１１が出力する交流電圧も、商用電力系統３の電圧位相に対して数度進相した電圧位相とされる。
【０１３２】
すると、フィルタ回路２１の交流リアクトル２２（図２）の両端には、一方が昇圧回路１０及びインバータ回路１１の交流電圧、他方が商用電力系統３と、互いに数度電圧位相がずれた電圧がかかることなる。
【０１３３】
図１３の（ａ）は、インバータ回路１１から出力された交流電圧、商用電力系統３、及び交流リアクトル２２の両端電圧、それぞれの電圧波形を示したグラフである。図中、縦軸は電圧、横軸は時間を示している。
図に示すように、交流リアクトル２２の両端が互いに数度電圧位相がずれた電圧がかかると、交流リアクトル２２の両端電圧は、交流リアクトル２２の両端にかかる互いに数度電圧位相がずれた電圧同士の差分となる。
【０１３４】
よって、図に示すように、交流リアクトル２２の両端電圧の位相は、商用電力系統３の電圧位相に対して９０度進んだ位相となる。
【０１３５】
図１３（ｂ）は、交流リアクトル２２に流れる電流波形を示したグラフである。図中、縦軸は電流、横軸は時間を示している。横軸は、図１３の（ａ）の横軸と一致するように示している。
交流リアクトル２２の電流位相は、その電圧位相に対して９０度遅延する。よって、図に示すように、交流リアクトル２２を通して出力される交流電力の電流位相は、商用電力系統３の電流位相に対して同期することとなる。
【０１３６】
従って、インバータ回路１１が出力する電圧位相は、商用電力系統３に対して数度進相しているが、電流位相は、商用電力系統３の電流位相に対して一致する。
よって、図１２の最下段に示すグラフのように、インバータ装置１が出力する電流波形は、商用電力系統３の電圧位相と一致したものとなる。
この結果、商用電力系統３の電圧と同位相の交流電流を出力することができるので、当該交流電力の力率が低下するのを抑制することができる。
【０１３７】
《系統電圧Ｖａの効用》
図１７の（ａ）は、系統模擬電源の良質な交流電圧を表し、（ｂ）は制御用の系統電圧に前述の「Ｖａ」ではなく、系統電圧の測定値Ｖａｄを用いて制御を行った場合の、交流の系統電流を表す波形図である。具体的な使用条件としては、直流側電圧１０３Ｖから電力変換装置を経て、系統電圧２１７Ｖで負荷１ｋＷに給電している状態の波形図である。図において、（ｂ）の系統電流には明らかに大きな歪が見られる。
【０１３８】
一方、同様の使用条件において、図１８の（ａ）は、系統模擬電源の交流電圧を表し、（ｂ）は制御用の系統電圧Ｖａを用いて制御を行った場合の、交流の系統電流を表す波形図である。図において、（ｂ）は、図１７の（ｂ）に比べれば大きな歪は低減されており、小さな歪が散見される程度である。
【０１３９】
図１９の（ａ）は、実際の交流の系統電圧を示す波形図であり、（ｂ）は、制御用には系統電圧の測定値Ｖａｄを用いて制御を行った場合の、交流の系統電流を表す波形図である。（ａ）の系統電圧の波形が安定している場合は、（ｂ）の交流電流も歪はあるものの、概ね安定している。しかし、（ａ）の系統電圧の波形に振動成分が重畳され歪み始めると、それに機敏に（ｂ）の交流電流が反応して発振し始め、最終的には鋭い尖塔状の過電流が流れて、電力変換装置は保護停止の状態となった。
【０１４０】
図２０の（ａ）は、実際の交流の系統電圧を示す波形図であり、（ｂ）は、制御用に系統電圧Ｖａを用いて制御を行った場合の、交流の系統電流を表す波形図である。（ａ）の系統電圧の波形は安定しており、（ｂ）の交流電流も安定し、かつ、歪も少ない。その後、図示していないが、（ａ）の系統電圧に振動成分が重畳されても、交流電流は発振しなかった。
【０１４１】
《まとめ》
この電力変換装置の制御部は、又は、制御方法としては、交流半サイクル内で、交流の位相に応じて、前記ＤＣ／ＤＣコンバータ及び前記フルブリッジ回路の一方にスイッチング動作を行わせ、他方は休止させる期間を生じさせる最小スイッチング方式の動作を行うべく、交流電力の電圧、交流リアクトルを流れる電流及び交流リアクトルのインピーダンスによる電圧変化、中間コンデンサ及び交流側コンデンサをそれぞれ流れる無効電流、並びに、直流電力の電圧に基づいて、ＤＣ／ＤＣコンバータの電流目標値を、交流電力の電流と同期するように設定する。また、制御部は、交流電力の電圧として、商用電力系統の交流電圧検出値に基づいて抽出した基本波に、検出や制御系の遅れを考慮して位相を補足した電圧を用いる。
【０１４２】
このような電力変換装置では、最小スイッチング方式の動作を行うとともに、交流電力の電圧として、商用電力系統の交流電圧検出値に基づいて抽出した基本波に、検出や制御系の遅れを考慮して位相を補足した電圧を用いることで、電圧位相に対する制御の遅延を抑制し、また、商用電力系統に系統電圧が接続されている場合に、系統電圧の擾乱の影響を排除して、安定した、歪の少ない交流電流を得ることができる。
【０１４３】
なお、交流の系統電圧は、例えば、実効値をＶａ＿ｒｍｓ、位相をωｔとして、
Ｖａ＝√２ Ｖａ＿ｒｍｓ×ｓｉｎ（ωｔ）
とすることができる。
【０１４４】
上記Ｖａの位相ωｔは、現時点で記憶している直前の位相と、位相を進めるための単位位相とに基づいて、スイッチング動作の指令をするタイミングの位相とすることができる。
この場合、直前の位相と、単位位相とに基づいて、演算により現在の位相を決定することができる。
具体的には、位相ωｔは、現時点で記憶している直前の位相に、位相を進めるための単位位相に所定値を乗じた位相を加算して、スイッチング動作の指令をする位相とすることができる。この場合、所定値を変えながら結果的に交流電流の総合電流歪率や力率が最も良くなる所定値の好適値を求めることができる。
【０１４５】
［交流から直流への電力変換装置］
《全体構成について》
次に、交流から直流への電力変換を行う電力変換装置１Ｒの一実施形態について説明する。
図１４は、このような電力変換装置１Ｒを備えた蓄電システムの一例を示すブロック図である。図中、電力変換装置１Ｒの出力端には、蓄電池２が接続され、入力端には商用電力系統３（交流系統）が接続されている。この蓄電システムは、商用電力系統３から提供される電力を、交流から直流に変換して、蓄電池２に蓄えることができる。
【０１４６】
電力変換装置１Ｒは、商用電力系統３から受電した交流を直流に変換するＡＣ／ＤＣコンバータ１１ｕと、ＡＣ／ＤＣコンバータ１１ｕの出力電圧を降圧する降圧回路（ＤＣ／ＤＣコンバータ）１０ｄと、これら両回路１０ｄ，１１ｕの動作を制御する制御部１２とを備えている。図１との比較により明らかなように、エネルギーの流れが逆方向になっている。なお、図１におけるインバータ回路１１と、図１４におけるＡＣ／ＤＣコンバータ１１ｕとを総称して言うときは、単に構造的に、フルブリッジ回路という。
【０１４７】
図１５は、電力変換装置１Ｒの回路図の一例である。図２との違いは、まず、図２における太陽光発電パネル２が蓄電池２Ｂに置き換わっている点である。また、電力変換装置１Ｒとしては、図２の昇圧回路１０が降圧回路１０ｄに置き換わり、図２ではインバータ回路１１であった回路が、構成要素は同じであるが、交流リアクトル２２と協働して昇圧も可能なＡＣ／ＤＣコンバータ１１ｕになる。
【０１４８】
降圧回路１０ｄは、図２と同様のダイオード１６と並列に、スイッチング素子Ｑｂ２を用いている。スイッチング素子Ｑｂ２としては、例えば、図示のＩＧＢＴ又は、ＦＥＴを用いることができる。
【０１４９】
電力変換装置１Ｒのその他の構成は、図２のインバータ装置１と基本的に同様である。従って、この電力変換装置１Ｒは双方向性があり、太陽光発電パネルを接続すれば図２のインバータ装置１と同じ動作を行うことができる。また、蓄電池２Ｂの直流電力を交流電力に変換して自立運転を行うこともできる。
なお、電力変換装置１Ｒがインバータ装置として動作する場合は、スイッチング素子Ｑｂ２は、常時オフの状態となるか（ＩＧＢＴの場合）又は、スイッチング素子Ｑｂと交互にオン動作するように（ＦＥＴの場合）、制御部１２により制御される。また、降圧回路１０ｄは昇圧回路になり、ＡＣ／ＤＣコンバータ１１ｕはインバータ回路となる。
【０１５０】
商用交流系統３の交流電力に基づいて蓄電池２Ｂを充電する場合、制御部１２は、各スイッチング素子Ｑ１〜Ｑ４の動作を制御し、同期整流をすることができる。また、交流リアクトル２２が存在する下でＰＷＭ制御を行うことにより、昇圧しつつ整流を行うことができる。こうして、ＡＣ／ＤＣコンバータ１１ｕは、商用交流系統３から与えられる交流電力を直流電力に変換する。
【０１５１】
降圧回路１０ｄは、降圧チョッパ回路を構成している。スイッチング素子Ｑｂ，Ｑｂ２は、制御部１２によって制御される。
また、降圧回路１０ｄのスイッチング動作は、ＡＣ／ＤＣコンバータ１１ｕとの間でスイッチング動作を行う期間が交互に切り替わるように制御される。よって、降圧回路１０ｄは、スイッチング動作を行っている期間には、降圧した電圧を蓄電池２Ｂに出力し、スイッチング動作を停止（スイッチング素子Ｑｂがオフ、Ｑｂ２がオン）している期間は、ＡＣ／ＤＣコンバータ１１ｕが出力して降圧回路１０ｄに入力した直流電圧を、直流リアクトル１５を介して蓄電池２に与える。
【０１５２】
《電圧波形の概要》
図１６は、電力変換装置１Ｒの動作を概念的に示した電圧波形の図である。
（ａ）は、ＡＣ／ＤＣコンバータ１１ｕへの交流入力電圧目標値Ｖｉｎｖ＊の絶対値の一例を示す。これは、概ね、商用交流の全波整流波形である。二点鎖線は、充電のための直流電圧Ｖｇを示す。（ｂ）に示すように、直流電圧Ｖｇの方が交流入力電圧目標値Ｖｉｎｖ＊の絶対値より高い区間（ｔ０〜ｔ１，ｔ２〜ｔ３，ｔ４〜）では、ＡＣ／ＤＣコンバータ１１ｕがスイッチング動作し、交流リアクトル２２との協働により昇圧動作する。
【０１５３】
一方、これらの区間（ｔ０〜ｔ１，ｔ２〜ｔ３，ｔ４〜）において降圧回路１０ｄはスイッチング素子Ｑｂがオフ、Ｑｂ２がオンの状態となり、降圧動作は停止している。なお、（ｂ）に示す細いストライプは、実際にはＰＷＭパルス列であり、交流入力電圧目標値Ｖｉｎｖ＊の絶対値に応じてデューティが異なる。従って、仮に、この状態の電圧がＤＣ／ＤＣコンバータに印加されたとすると、ＤＣ／ＤＣコンバータの入力電圧、すなわちコンデンサ１９の電圧は（ｃ）に示すような波形となる。
【０１５４】
一方、直流電圧Ｖｇの方が交流入力電圧目標値Ｖｉｎｖ＊の絶対値より低い区間（ｔ１〜ｔ２，ｔ３〜ｔ４）では、ＡＣ／ＤＣコンバータ１１ｕはスイッチングを停止し、代わりに、降圧回路１０ｄが動作する。なお、ここで言うスイッチングとは、例えば２０ｋＨｚ程度の高周波スイッチングを意味し、同期整流を行う程度（商用周波数の２倍）の低周波なスイッチングのことではない。なお、ＡＣ／ＤＣコンバータ１１ｕのスイッチング停止によりスイッチング素子Ｑ１〜Ｑ４が全てオフであるとしても、各スイッチング素子Ｑ１〜Ｑ４の内蔵ダイオードを通して整流された電圧が降圧回路１０ｄに入力される。但し、導通損失を低減するためには、同期整流を行うことが好ましい。
【０１５５】
同期整流を行う場合のＡＣ／ＤＣコンバータ１１ｕは、制御部１２の制御により、ＡＣ／ＤＣコンバータ１１ｕの電流の符号が正の期間では、スイッチング素子Ｑ１，Ｑ４をオン、スイッチング素子Ｑ２，Ｑ３をオフとし、また、ＡＣ／ＤＣコンバータ１１ｕの電流の符号が負の期間では、これらのオン／オフを反転する。この反転の周波数は、商用周波数の２倍であるため、高周波スイッチングに比べると、周波数が非常に小さい。従って、オン／オフによる損失も極めて少ない。
【０１５６】
一方、上記の区間（ｔ１〜ｔ２，ｔ３〜ｔ４）において降圧回路１０ｄは降圧動作する。（ｄ）に示す細いストライプは、実際にはＰＷＭパルス列であり、交流入力電圧目標値Ｖｉｎｖ＊の絶対値に応じてデューティが異なる。降圧の結果、（ｅ）に示す所望の直流電圧Ｖｇが得られる。
【０１５７】
以上のように、交流電圧に基づく交流入力電圧目標値Ｖｉｎｖ＊の絶対値が直流電圧Ｖｇより低い期間のみＡＣ／ＤＣコンバータ１１ｕが動作し、その他の期間ではスイッチングを停止させることで、ＡＣ／ＤＣコンバータ１１ｕのスイッチング損失を低減することができる。
同様に、交流入力電圧目標値Ｖｉｎｖ＊の絶対値が直流電圧Ｖｇより高い期間のみ降圧回路１０ｄが動作し、その他の期間ではスイッチングを停止させることで、降圧回路１０ｄのスイッチング損失を低減することができる。
【０１５８】
こうして、ＡＣ／ＤＣコンバータ１１ｕと降圧回路１０ｄとが、交互にスイッチング動作することになり、一方が動作するときは他方はスイッチングを停止している。すなわちＡＣ／ＤＣコンバータ１１ｕ及び降圧回路１０ｄのそれぞれに、スイッチングの停止期間が生じる。また、ＡＣ／ＤＣコンバータ１１ｕは、交流入力電圧目標値Ｖｉｎｖ＊の絶対値のピーク及びその近傍を避けて動作することになるので、スイッチングを行う際の電圧が相対的に低くなる。このことも、スイッチング損失の低減に寄与する。こうして、電力変換装置１Ｒ全体としてのスイッチング損失を大幅に低減することができる。
【０１５９】
《制御の仕様》
上記電力変換装置１Ｒの制御は、図２のインバータ装置１による系統連系の制御を逆方向に見た類似の制御として考えることができる。これは、インバータ装置１と同じ系統連系をさせ得る電力変換装置１Ｒを用いて、逆方向の動作においても電力変換装置１Ｒの効率を高めることに好適な制御である。
【０１６０】
インバータ装置１における諸量とそれぞれ対応する電力変換装置１Ｒにおける諸量は、以下のようになる。
Ｉａ＊：商用電力系統３からの入力電流目標値
Ｉｉｎ：降圧回路電流検出値
Ｉｉｎ＊：降圧回路電流目標値
Ｉｉｎｖ＊：ＡＣ／ＤＣコンバータ１１ｕへの交流入力電流目標値
Ｉｇ＊：蓄電池２Ｂへの直流入力電流目標値
Ｉｃ：コンデンサ１９に流れる電流
Ｉｃａ：コンデンサ２３に流れる電流
【０１６１】
Ｖａ：系統電圧
Ｖｇ：蓄電池電圧値
Ｖｉｎｖ＊：ＡＣ／ＤＣコンバータ１１ｕへの交流入力電圧目標値
Ｖｏ＊：降圧回路１０ｄへの入力電圧目標値
Ｐｉｎ：蓄電池２Ｂへの入力電力
ＰＬＯＳＳ：電力変換装置１Ｒの電力損失
η：電力変換装置１Ｒの電力変換効率
【０１６２】
従って、図２のインバータ装置１における前述の式（１）〜（８）と対応した以下の関係が適用できる。
式（１）と対応する蓄電池２Ｂへの入力電力Ｐｉｎの平均値〈Ｐｉｎ〉は、
〈Ｐｉｎ〉＝〈Ｉｉｎ×Ｖｇ〉  ・・・（Ｒ１）
である。
式（２）に対応する商用電力系統３からの入力電流目標値の平均値〈Ｉａ＊〉は、
〈Ｉａ＊〉＝〈Ｉｇ＊×Ｖｇ〉／（η×〈Ｖａ〉）    ・・・（Ｒ２）
である。
式（３）に対応する入力電流目標値Ｉａ＊は、
Ｉａ＊＝（√２）×〈Ｉａ＊〉×ｓｉｎ（ωｔ）        ・・・（Ｒ３）
である。
【０１６３】
式（４）に対応する交流入力電流目標値Ｉｉｎｖ＊は、
Ｉｉｎｖ＊＝Ｉａ＊ − ｓ ＣａＶａ    ・・・（Ｒ４）
である。
上記式（Ｒ４）は、時間ｔでの微分を用いた表現とすれば、
Ｉｉｎｖ＊＝Ｉａ＊ − Ｃａ×（ｄ Ｖａ／ｄｔ）    ・・・（Ｒ４ａ）
となる。また、コンデンサ２３に流れる電流を検出してこれをＩｃａとすれば、
Ｉｉｎｖ＊＝Ｉａ＊ − Ｉｃａ    ・・・（Ｒ４ｂ）
となる。
【０１６４】
また、式（５）に対応する交流入力電圧目標値Ｖｉｎｖ＊は、
Ｖｉｎｖ＊＝Ｖａ−Ｚａ Ｉｉｎｖ＊  ・・・（Ｒ５）
である。
上記式（Ｒ５）は、時間ｔでの微分を用いた表現とすれば、
Ｖｉｎｖ＊＝Ｖａ − ｛ＲａＩｉｎｖ＊＋Ｌａ× （ｄ Ｉｉｎｖ＊／ｄｔ）
・・・（Ｒ５ａ）
となる。
【０１６５】
上記のように、交流側の目標値であるＡＣ／ＤＣコンバータ１１ｕへの入力目標値（Ｉｉｎｖ＊，Ｖｉｎｖ＊）は、ＡＣ／ＤＣコンバータ１１ｕとフィルタ回路２１との回路接続点Ｐで設定される。従って、系統連系を行う場合と同様に、商用電力系統３と電力変換装置１Ｒの回路接続点より目標値の設定点を前（ＡＣ／ＤＣコンバータ１１ｕ側）に移動していることになる。このような、いわば「逆」系統連系により、交流と直流との適切な連系が行われる。
【０１６６】
また、式（６）に対応する降圧回路１０ｄへの入力電圧目標値Ｖｏ＊は、式（６）におけるＶｇｆすなわち（Ｖｇ−Ｚ Ｉｉｎ）が、Ｖｇｒすなわち（Ｖｇ＋Ｚ Ｉｉｎ）に置き換わり、
Ｖｏ＊＝Ｍａｘ（Ｖｇ＋Ｚ Ｉｉｎ，Ｖｉｎｖ＊の絶対値）  ・・・（Ｒ６）
とすることができる。
上記式（Ｒ６）は、時間ｔでの微分を用いた表現とすれば、
Ｖｏ＊＝
Ｍａｘ（Ｖｇ＋Ｒ Ｉｉｎ＋Ｌ（ｄ Ｉｉｎ／ｄｔ），Ｖｉｎｖ＊の絶対値）
・・・（Ｒ６ａ）
となる。
【０１６７】
また、降圧回路電流目標値Ｉｉｎ＊は、
Ｉｉｎ＊＝
｛（Ｉｉｎｖ＊×Ｖｉｎｖ＊）−（ｓ Ｃ Ｖｏ＊）×Ｖｏ＊｝ ／
（Ｖｇ＋ＺＩｉｎ）       ・・（Ｒ７）
である。
上記式（Ｒ７）は、時間ｔでの微分を用いた表現とすれば、
Ｉｉｎ＊＝
｛（Ｉｉｎｖ＊×Ｖｉｎｖ＊） − Ｃ×（ｄ Ｖｏ＊／ｄｔ）×Ｖｏ＊｝ ／
｛Ｖｇ＋ＲＩｉｎ＋Ｌ（ｄＩｉｎ／ｄｔ））      ・・・（Ｒ７ａ）
となる。また、コンデンサ１９に流れる電流を検出してこれをＩｃとすれば、
Ｉｉｎ＊＝
｛（Ｉｉｎｖ＊×Ｖｉｎｖ＊） −Ｉｃ×Ｖｏ＊｝ ／ （Ｖｇ＋ＺＩｉｎ）
・・・（Ｒ７ｂ）
となる。
【０１６８】
式（Ｒ７），（Ｒ７ａ），（Ｒ７ｂ）中、交流入力電流目標値Ｉｉｎｖ＊と、交流入力電圧目標値Ｖｉｎｖ＊との積に加算されている項は、コンデンサ１９を通過する無効電力を考慮した値である。すなわち、ＡＣ／ＤＣコンバータ１１ｕの電力目標値に加えて、無効電力を考慮することにより、より正確にＩｉｎ＊の値を求めることができる。
【０１６９】
さらに、予め電力変換装置１Ｒの電力損失ＰＬＯＳＳを測定しておけば、上記式（Ｒ７ａ）は、以下のようにも表すことができる。
Ｉｉｎ＊＝
｛（Ｉｉｎｖ＊×Ｖｉｎｖ＊） − Ｃ×（ｄ Ｖｏ＊／ｄｔ）×Ｖｏ＊ − ＰＬＯＳＳ｝／（Ｖｇ＋ＺＩｉｎ）      ・・・（Ｒ７ｃ）
同様に、上記式（Ｒ７ｂ）は、以下のようにも表すことができる。
Ｉｉｎ＊＝
｛（Ｉｉｎｖ＊×Ｖｉｎｖ＊） −Ｉｃ×Ｖｏ＊ − ＰＬＯＳＳ｝ ／ （Ｖｇ＋ＺＩｉｎ）
・・・（Ｒ７ｄ）
この場合、ＡＣ／ＤＣコンバータ１１ｕの電力目標値に加えて、無効電力及び電力損失ＰＬＯＳＳを考慮することにより、より厳密にＩｉｎ＊の値を求めることができる。
【０１７０】
なお、コンデンサ１９の静電容量Ｃ及び電力損失ＰＬＯＳＳが、（Ｉｉｎｖ＊×Ｖｉｎｖ＊）に比べて十分小さい場合、下記式（Ｒ８）が成立する。この式（Ｒ８）によって求まるＩｉｎ＊を式（Ｒ６）、（Ｒ６ａ）、（Ｒ７）、（Ｒ７ａ）、（Ｒ７ｂ）、（Ｒ７ｃ）および（Ｒ７ｄ）の右辺に含まれるＩｉｎとして用いることができる。
Ｉｉｎ＊＝（Ｉｉｎｖ＊×Ｖｉｎｖ＊）／Ｖｇ・・・（Ｒ８）
【０１７１】
以上のようにして、制御部１２は、ＡＣ／ＤＣコンバータ１１ｕへの交流入力電圧目標値Ｖｉｎｖ＊の絶対値が、直流電圧（Ｖｇ＋Ｚ Ｉｉｎ）よりも高い部分の電圧を出力する際には、降圧回路１０ｄを動作させ、ＡＣ／ＤＣコンバータ１１ｕのへ交流入力電圧目標値Ｖｉｎｖ＊の絶対値が、直流電圧（Ｖｇ＋Ｚ Ｉｉｎ）よりも低い部分の電圧を出力する際にはＡＣ／ＤＣコンバータ１１ｕを動作させるように制御される。そのため、ＡＣ／ＤＣコンバータ１１ｕによって昇圧する際の電位差を低く抑えることができるとともに、ＡＣ／ＤＣコンバータ１１ｕ及び降圧回路１０ｄのスイッチング損失を低減し、より高効率で直流電力を出力することができる。
【０１７２】
さらに、降圧回路１０ｄ及びＡＣ／ＤＣコンバータ１１ｕは、ともに制御部１２が設定した目標値に基づいて動作するため、両回路の高周波スイッチング期間が交互に切り替わるように動作を行っても、ＡＣ／ＤＣコンバータ１１ｕに入力される交流電流に位相ずれや歪みが生じるのを抑制することができる。
【０１７３】
また、前述のように、電力変換装置ＩＲは、図２のインバータ装置１と同様の系統連系の動作を行わせることができる。従って、系統連系を行う直流／交流の変換、及び、交流／直流の変換の双方向に使用可能で効率の良い電力変換装置を実現することができる。
【０１７４】
＜第２実施形態＞
上記第１実施形態では、系統電圧Ｖａとして、実際の系統電圧測定値ではなく、式（０１），（０２）に基づいて生成した系統電圧Ｖａを用いた。従って、式（５）は、
Ｖｉｎｖ＊＝√２・Ｖａ＿ｒｍｓ×ｓｉｎ（ωｔ）＋Ｚａ・Ｉｉｎｖ＊
・・・（５’）
になる。インバータ出力電圧目標値Ｖｉｎｖ＊を決める際に、系統電圧の基本波成分を用いた場合、ＤＣ／ＤＣコンバータやフルブリッジ回路は、その基本波成分だけを相手にした出力電流を生成する。そのため、系統電圧に電圧歪みがあると、歪みがフィードフォワード的に制御に作用し、電圧歪みに対応した出力電流を出さないがために、出力電流の歪が大きくなる。
【０１７５】
そこで、最小スイッチング変換方式のインバータ電圧目標値算出時に系統電圧の各次高調波を考慮することで、系統電圧に歪みがあっても、出力電流歪率を低減させ力率を向上させる。すなわち、以下の式（９）を用いる。
Ｖｉｎｖ＊＝｛√２Ｖａ＿ｒｍｓ×ｓｉｎ（ωｔ）＋Ｖ２×ｓｉｎ（２ωｔ＋θ２）＋Ｖ３×ｓｉｎ（３ωｔ＋θ３）＋・・・＋Ｖｎ×ｓｉｎ（ｎωｔ＋θｎ）｝＋Ｚａ・Ｉｉｎｖ＊    ・・・（９）
なお、Ｖｎは、系統電圧中のｎ次高調波の波高値、ｎは整数、θｎは、系統電圧中のｎ次高調波の初期位相である。
【０１７６】
そこで、Ｖｎ、θｎの算出には離散フーリエ変換の考え方を利用する。
系統電圧の位相ごとの、例えば２０ｋＨｚでのサンプリング値をＶａ＿ｓａｍｐｌｉｎｇとする。ｎ次のフーリエ係数ａｎ、ｂｎは、以下のようになる。
【０１７７】
2018183035.tif 000004
・・・（１０）
【０１７８】
2018183035.tif 000005
・・・（１１）
【０１７９】
ｎ次高調波の波高値Ｖｎは、
2018183035.tif 000006
・・・（１２）
である。
【０１８０】
また、ｎ次高調波の初期位相θｎは、
2018183035.tif 000007
・・・（１３）
である。
【０１８１】
図２１は、特に歪みの多い系統電圧の高調波を考慮しないでインバータ出力電圧目標値Ｖｉｎｖ＊を定めて制御する場合の系統電圧の波形図（上）及び出力電流の波形図（下）である。
条件としては、交流電圧２０２Ｖ（周波数５０Ｈｚ）に、初期位相０の３次高調波３％、初期位相０の５次高調波３％、初期位相０の７次高調波３％をそれぞれ含ませたものを系統電圧の対象とし、直流側電圧を１００Ｖとして１ｋＷ放電を行う場合を考える。電圧などのサンプリングとＰＷＭ制御を行う周期は２０ｋＨｚである。この場合、総合電流歪率は２４．８％、力率０．９５５となり、出力電流はかなり歪んでいる。
【０１８２】
図２２は、特に歪みの多い系統電圧の高調波を考慮してインバータ出力電圧目標値Ｖｉｎｖ＊を定めて制御する場合の系統電圧の波形図（上）及び出力電流の波形図（下）である。
条件としては、同様に、交流電圧２０２Ｖ（周波数５０Ｈｚ）に、初期位相０の３次高調波３％、初期位相０の５次高調波３％、初期位相０の７次高調波３％をそれぞれ含ませたものを系統電圧の対象とし、直流側電圧を１００Ｖとして１ｋＷ放電を行う場合を考える。
【０１８３】
図２２の場合、インバータ出力電圧目標値算出で考慮する高調波は制御部１２の演算負荷の観点からａｎ＝０、つまり初期位相０とし、高調波の次数としては３次、５次、７次とした。インバータ出力電圧目標値を式で書くと、
Ｖｉｎｖ＊＝√２Ｖａ＿ｒｍｓ×ｓｉｎ（ωｔ）＋Ｖ３×ｓｉｎ（３ωｔ）＋Ｖ５×ｓｉｎ（５ωｔ）＋Ｖ７×ｓｉｎ（７ωｔ）    ・・・（１４）
である。このとき、総合電流歪率は２．６％、力率は０．９９８となり、出力電流は正弦波状の形状である。このように、インバータ出力電圧目標値に高調波を考慮したことにより出力電流歪みを低減して力率を向上させたことがわかる。
【０１８４】
＜補記＞
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【０１８５】
１  インバータ装置
１Ｒ  電力変換装置
２  太陽光発電パネル
２Ｂ  蓄電池
３  商用電力系統
１０  昇圧回路（ＤＣ／ＤＣコンバータ）
１０ｄ  降圧回路（ＤＣ／ＤＣコンバータ）
１１  インバータ回路（フルブリッジ回路）
１１ｕ  ＡＣ／ＤＣコンバータ（フルブリッジ回路）
１２  制御部
１５  直流リアクトル
１６  ダイオード
１７  第１電圧センサ
１８  第１電流センサ
１９  コンデンサ（中間コンデンサ））
２１  フィルタ回路
２２  交流リアクトル
２３  コンデンサ（交流側コンデンサ）
２４  第２電流センサ
２５  第２電圧センサ
２６  コンデンサ
２７  第３電圧センサ
３０  制御処理部
３２  昇圧回路制御部
３３  インバータ回路制御部
３４  平均化処理部
４１  第１演算部
４２  第１加算器
４３  補償器
４４  第２加算器
５１  第２演算部
５２  第３加算器
５３  補償器
５４  第４加算器
Ｐ  回路接続点
Ｑ１〜Ｑ４，Ｑｂ  スイッチング素子
【図１】
2018183035.tif 000008
【図２】
2018183035.tif 000009
【図３】
2018183035.tif 000010
【図４】
2018183035.tif 000011
【図５】
2018183035.tif 000012
【図６】
2018183035.tif 000013
【図７】
2018183035.tif 000014
【図８】
2018183035.tif 000015
【図９】
2018183035.tif 000016
【図１０】
2018183035.tif 000017
【図１１】
2018183035.tif 000018
【図１２】
2018183035.tif 000019
【図１３】
2018183035.tif 000020
【図１４】
2018183035.tif 000021
【図１５】
2018183035.tif 000022
【図１６】
2018183035.tif 000023
【図１７】
2018183035.tif 000024
【図１８】
2018183035.tif 000025
【図１９】
2018183035.tif 000026
【図２０】
2018183035.tif 000027
【図２１】
2018183035.tif 000028
【図２２】
2018183035.tif 000029